(57)【要約】  本開示は、ディスプレイデバイスの白色点を調整するための、コンピュータ記憶媒体上に符号化されたコンピュータプログラムを含む、システム、方法および装置を提供する。一態様では、ディスプレイデバイスは、光を出力するように構成されたディスプレイ要素のセットと、ディスプレイ要素を駆動するように構成された電子回路とを含む。各ディスプレイ要素は、ディスプレイ要素が入射光を反射することができるように、反射面が部分反射面からある距離をおいて配置され得る、オン状態を有してもよい。各距離は、バイアス電圧に依存し得る。ディスプレイ要素のためのバイアス電圧のうちの少なくとも１つが、オン状態において非ゼロであり得、バイアス電圧のうちの１つまたは複数が、ディスプレイデバイスの白色点を制御するために調節可能であり得る。電子回路は、少なくとも１つの非ゼロバイアス電圧を供給するために、ディスプレイ要素に電気的に接続され得る。
2014512567.tif 000002
【特許請求の範囲】
【請求項１】
ディスプレイデバイスであって、
光を出力するように構成された第１のディスプレイ要素と、
光を出力するように構成された第２のディスプレイ要素と、
光を出力するように構成された第３のディスプレイ要素と、
前記第１、第２、および第３のディスプレイ要素を駆動するように構成された電子回路と
を備え、
前記第１、第２、および第３のディスプレイ要素の各々が、前記ディスプレイ要素が入射光を反射するように、反射面が部分反射面からある距離をおいて配置される、オン状態を有し、各距離がバイアス電圧に依存し、
前記第１、第２、および第３のディスプレイ要素のための前記バイアス電圧のうちの少なくとも１つが、前記オン状態において非ゼロであり、前記ディスプレイデバイスの白色点を制御するために調節可能であり、前記電子回路が、前記少なくとも１つの非ゼロバイアス電圧を供給するために、前記ディスプレイ要素に電気的に接続される、ディスプレイデバイス。
【請求項２】
前記第１、第２、および第３のディスプレイ要素が干渉変調器を含む、請求項１に記載のディスプレイデバイス。
【請求項３】
前記第１、第２、および第３のディスプレイ要素のための前記バイアス電圧のうちの少なくとも２つが、前記オン状態において非ゼロであり、前記少なくとも２つのバイアス電圧のうちの１つまたは複数が、前記ディスプレイデバイスの前記白色点を制御するために調節可能である、請求項１に記載のディスプレイデバイス。
【請求項４】
前記第１、第２、および第３のディスプレイ要素のための前記バイアス電圧が、前記オン状態において非ゼロであり、前記バイアス電圧のうちの１つまたは複数が、前記ディスプレイデバイスの前記白色点を制御するために調節可能である、請求項１に記載のディスプレイデバイス。
【請求項５】
前記第１、第２、および第３のディスプレイ要素のための前記バイアス電圧が、前記ディスプレイデバイスの前記白色点を制御するために調節可能である、請求項４に記載のディスプレイデバイス。
【請求項６】
前記電子回路が、前記バイアス電圧を確定するために、前記白色点と前記バイアス電圧とを相関させる情報を記憶するデータベースにアクセスするように構成される、請求項１に記載のディスプレイデバイス。
【請求項７】
前記電子回路が、前記バイアス電圧を確定するために、前記白色点と前記バイアス電圧とを相関させる公式を使用するように構成される、請求項１に記載のディスプレイデバイス。
【請求項８】
前記ディスプレイデバイスが、前記電子回路と通信しているユーザインターフェースをさらに備え、前記電子回路が、前記ユーザインターフェースからの入力に基づいて、前記第１、第２、および第３のディスプレイ要素のための前記バイアス電圧を調節することによって、前記白色点を調節するように構成される、請求項４に記載のディスプレイデバイス。
【請求項９】
前記電子回路が、前記第１、第２、および第３のディスプレイ要素のための前記バイアス電圧間の固定の関係を使用して、前記白色点を調節するように構成される、請求項８に記載のディスプレイデバイス。
【請求項１０】
前記反射面と前記部分反射面との間の前記距離を調節することによって、前記ディスプレイ要素の前記反射面と前記部分反射面とによって定義された光共振キャビティの少なくとも１つの共振波長を調整することによって、前記白色点が調節される、請求項１に記載のディスプレイデバイス。
【請求項１１】
前記第１のディスプレイ要素が、赤色ディスプレイ要素が前記オン状態であるとき、赤色光を出力するように構成された前記赤色ディスプレイ要素を含み、前記第２のディスプレイ要素が、緑色ディスプレイ要素が前記オン状態であるとき、緑色光を出力するように構成された前記緑色ディスプレイ要素を含み、前記第３のディスプレイ要素が、青色ディスプレイ要素が前記オン状態であるとき、青色光を出力するように構成された前記青色ディスプレイ要素を含む、請求項１に記載のディスプレイデバイス。
【請求項１２】
前記第１、第２、および第３のディスプレイ要素が、前記ディスプレイ要素が前記オン状態であるとき、白色光を出力するように構成された白色ディスプレイ要素をそれぞれ含む、請求項１に記載のディスプレイデバイス。
【請求項１３】
少なくとも１つのディスプレイ要素と通信するように構成されるプロセッサであり、画像データを処理するように構成されるプロセッサと、
前記プロセッサと通信するように構成されるメモリデバイスと
をさらに備える、請求項１に記載のディスプレイデバイス。
【請求項１４】
前記少なくとも１つのディスプレイ要素に少なくとも１つの信号を送るように構成されたドライバ回路と、
前記ドライバ回路に前記画像データの少なくとも一部分を送るように構成されたコントローラと
をさらに備える、請求項１３に記載のディスプレイデバイス。
【請求項１５】
前記プロセッサに前記画像データを送るように構成された画像ソースモジュール
をさらに備える、請求項１３に記載のディスプレイデバイス。
【請求項１６】
前記画像ソースモジュールが、受信機、トランシーバ、および送信機のうちの少なくとも１つを含む、請求項１５に記載のディスプレイデバイス。
【請求項１７】
入力データを受信することと、前記プロセッサに前記入力データを通信することとを行うように構成された入力デバイス
をさらに備える、請求項１３に記載のディスプレイデバイス。
【請求項１８】
ディスプレイデバイスであって、
光を出力するための第１の手段と、
光を出力するための第２の手段と、
光を出力するための第３の手段と、
前記第１、第２、および第３の光出力手段を駆動するための手段と
を備え、
前記第１、第２、および第３の光出力手段の各々が、前記光出力手段が入射光を反射するように、光を反射するための手段が光を部分反射するための手段からある距離をおいて配置される、オン状態を有し、各距離がバイアス電圧に依存し、
前記第１、第２、および第３の光出力手段のための前記バイアス電圧のうちの少なくとも１つが、前記オン状態において非ゼロであり、前記ディスプレイデバイスの白色点を制御するために調節可能であり、前記駆動手段が、前記少なくとも１つの非ゼロバイアス電圧を供給するために、前記第１、第２、および第３の光出力手段に電気的に接続される、ディスプレイデバイス。
【請求項１９】
前記第１、第２、および第３の光出力手段が、第１、第２、および第３の干渉変調器をそれぞれ含み、前記駆動手段が電子回路を含み、前記光反射手段が反射面を含むか、または前記部分光反射手段が部分反射面を含む、請求項１８に記載のディスプレイデバイス。
【請求項２０】
前記第１の光出力手段が、赤色光を出力するように構成された赤色干渉変調器を含み、前記第２の光出力手段が、緑色光を出力するように構成された緑色干渉変調器を含み、前記第３の光出力手段が、青色光を出力するように構成された青色干渉変調器を含む、請求項１８に記載のディスプレイデバイス。
【請求項２１】
前記第１、第２、および第３の光出力手段が、白色干渉変調器を含む、請求項１８に記載のディスプレイデバイス。
【請求項２２】
前記第１、第２、および第３の光出力手段のための前記バイアス電圧のうちの少なくとも２つが、前記オン状態において非ゼロであり、前記少なくとも２つのバイアス電圧のうちの１つまたは複数が、前記ディスプレイデバイスの前記白色点を制御するために調節可能である、請求項１８に記載のディスプレイデバイス。
【請求項２３】
前記第１、第２、および第３の光出力手段のための前記バイアス電圧が、前記オン状態において非ゼロであり、前記バイアス電圧のうちの１つまたは複数が、前記ディスプレイデバイスの前記白色点を制御するために調節可能である、請求項１８に記載のディスプレイデバイス。
【請求項２４】
前記第１、第２、および第３の光出力手段のための前記バイアス電圧が、前記ディスプレイデバイスの前記白色点を制御するために調節可能である、請求項２３に記載のディスプレイデバイス。
【請求項２５】
前記駆動手段が、前記白色点と前記バイアス電圧との間の相関に基づいて、前記バイアス電圧を確定するように構成される、請求項１８に記載のディスプレイデバイス。
【請求項２６】
前記駆動手段が、前記白色点と前記バイアス電圧との間の相関に基づいて、前記バイアス電圧を確定するために、データベースにアクセスするように構成される、請求項２５に記載のディスプレイデバイス。
【請求項２７】
前記駆動手段が、前記白色点と前記バイアス電圧との間の相関に基づいて、前記バイアス電圧を確定するために、公式にアクセスするように構成される、請求項２５に記載のディスプレイデバイス。
【請求項２８】
前記駆動手段が、コンピュータ可読記憶媒体と通信しているプロセッサを含む、請求項２５に記載のディスプレイデバイス。
【請求項２９】
白色点の選択を受信するための手段をさらに含む、請求項１８に記載のディスプレイデバイス。
【請求項３０】
前記受信手段がユーザインターフェースを含む、請求項２９に記載のディスプレイデバイス。
【請求項３１】
ディスプレイデバイスの白色点を設定するための方法であって、
それぞれのディスプレイ要素が入射光を反射するように、前記それぞれのディスプレイ要素の反射面が部分反射面からある距離をおいて配置される、オン状態を各々が有する、第１、第２、および第３のディスプレイ要素を含む、前記ディスプレイデバイスのための白色点を選択することであり、各距離が、バイアス電圧に依存し、前記バイアス電圧のうちの少なくとも１つが、前記オン状態において非ゼロであり、前記ディスプレイデバイスの白色点を制御するために調節可能であることと、
前記第１、第２、および第３のディスプレイ要素に電気的に接続された電子回路を使用して、前記少なくとも１つの非ゼロバイアス電圧を設定することと
を備える方法。
【請求項３２】
前記第１、第２、および第３のディスプレイ要素が、赤色、緑色、および青色干渉変調器をそれぞれ含む、請求項３１に記載の方法。
【請求項３３】
電子回路を使用することが、
白色点を前記バイアス電圧と相関させる情報を記憶するデータベースにアクセスすることと、
前記データベースを使用して、前記第１、第２、および第３のディスプレイ要素のための前記対応するバイアス電圧を決定することと
を含む、請求項３１に記載の方法。
【請求項３４】
電子回路を使用することが、
白色点をバイアス電圧と相関させる公式にアクセスすることと、
前記公式を使用して、前記第１、第２、および第３のディスプレイ要素のための前記対応するバイアス電圧を決定することと
を含む、請求項３１に記載の方法。
【請求項３５】
前記白色点を選択しながら、前記ディスプレイデバイスによって表示された画像を静的状態において保持することをさらに備える、請求項３１に記載の方法。
【請求項３６】
コンピューティングシステムによって実行されたとき、前記コンピューティングシステムに動作を実行させる命令を記憶した、非一時的な有形のコンピュータ記憶媒体であって、前記動作が、
ディスプレイデバイスのための白色点の選択を受信することと、
白色点を前記ディスプレイデバイスの第１、第２、および第３のディスプレイ要素のためのバイアス電圧と相関させる情報にアクセスすることと、
前記選択された白色点のための前記対応するバイアス電圧を決定するために前記情報を使用することと
を備える、非一時的な有形のコンピュータ記憶媒体。
【請求項３７】
前記白色点の前記選択を受信することが、ユーザインターフェースを介して前記選択を受信することを含む、請求項３６に記載の非一時的な有形のコンピュータ記憶媒体。
【請求項３８】
情報にアクセスすることが、白色点をバイアス電圧と相関させる前記情報を記憶するデータベースにアクセスすることを含む、請求項３６に記載の非一時的な有形のコンピュータ記憶媒体。
【請求項３９】
情報にアクセスすることが、白色点をバイアス電圧と相関させる公式にアクセスすることを含む、請求項３６に記載の非一時的な有形のコンピュータ記憶媒体。
【請求項４０】
前記公式が、前記第１、第２、および第３のディスプレイ要素のための前記バイアス電圧間の固定の関係を含む、請求項３９に記載の非一時的な有形のコンピュータ記憶媒体。
【発明の詳細な説明】
【技術分野】
【０００１】
本開示は、電気機械システムと、そのようなシステムを有するディスプレイの白色点調整とに関する。
【背景技術】
【０００２】
電気機械システムは、電気的および機械的要素と、アクチュエータと、トランスデューサと、センサーと、光学的構成要素（たとえば、ミラー）と、電子回路とを有するデバイスを含む。電気機械システムは、限定はしないが、マイクロスケールおよびナノスケールを含む、様々なスケールで製造され得る。たとえば、マイクロ電気機械システム（ＭＥＭＳ：microelectromechanical system）デバイスは、約１ミクロンから数百ミクロン以上に及ぶサイズを有する構造を含むことができる。ナノ電気機械システム（ＮＥＭＳ：nanoelectromechanical system）デバイスは、たとえば、数百ナノメートルよりも小さいサイズを含む、１ミクロンよりも小さいサイズを有する構造を含むことができる。電気および電気機械デバイスを形成するために、堆積、エッチング、リソグラフィを使用して、ならびに／あるいは、基板および／または堆積された材料層の部分をエッチング除去するかまたは層を追加する、他の微細加工プロセスを使用して、電気機械要素が作成され得る。
【０００３】
１つのタイプの電気機械システムデバイスは干渉変調器（ＩＭＯＤ：interferometric modulator）と呼ばれる。本明細書で使用する干渉変調器または干渉光変調器という用語は、光学干渉の原理を使用して光を選択的に吸収および／または反射するデバイスを指す。いくつかの実施態様では、干渉変調器は伝導性プレートのペアを含み得、そのペアの一方または両方は、全体的にまたは部分的に、透明でおよび／または反射性であり、適切な電気信号の印加時の相対運動が可能であり得る。一実施態様では、一方のプレートは、基板上に堆積された固定層を含み得、他方のプレートは、エアギャップによって固定層から分離された反射膜を含み得る。別のプレートに対するあるプレートの位置は、干渉変調器に入射する光の光学干渉を変化させることがある。干渉変調器デバイスは、広範囲の適用例を有しており、特にディスプレイ能力がある製品の場合、既存の製品を改善し、新しい製品を作成する際に使用されることが予期される。
【発明の概要】
【０００４】
本開示のシステム、方法およびデバイスは、それぞれいくつかの発明的態様を有し、それらのうちの単一の態様が、単独で、本明細書で開示する望ましい属性を担当するとは限らない。
【０００５】
本開示で説明する主題の１つの発明的態様は、ディスプレイデバイスにおいて実施され得る。ディスプレイデバイスは、光を出力するように構成された第１のディスプレイ要素と、光を出力するように構成された第２のディスプレイ要素と、光を出力するように構成された第３のディスプレイ要素とを含み得る。ディスプレイデバイスは、第１、第２、および第３のディスプレイ要素を駆動するように構成された電子回路をさらに含み得る。第１、第２、および第３のディスプレイ要素の各々は、ディスプレイ要素が入射光を反射することができるように、反射面が部分反射面からある距離をおいて配置され得る、オン状態を有してもよい。各距離は、バイアス電圧に依存し得る。第１、第２、および第３のディスプレイ要素のためのバイアス電圧のうちの少なくとも１つは、オン状態において非ゼロであり、ディスプレイデバイスの白色点を制御するために調節可能であり得る。電子回路は、少なくとも１つの非ゼロバイアス電圧を供給するために、ディスプレイ要素に電気的に接続され得る。いくつかの実施態様では、第１、第２、および第３のディスプレイ要素のためのバイアス電圧のうちの少なくとも２つは、オン状態において非ゼロである。少なくとも２つのバイアス電圧のうちの１つ、いくつか、またはすべては、ディスプレイデバイスの白色点を制御するために調節可能であり得る。いくつかの他の実施態様では、第１、第２、および第３のディスプレイ要素のためのバイアス電圧は、オン状態において非ゼロである。３つのバイアス電圧のうちの１つ、いくつか、またはすべては、ディスプレイデバイスのための白色点を制御するために調節可能であり得る。いくつかの実施態様では、ディスプレイデバイスは、ディスプレイデバイスの白色点を制御するために調節可能であり得るバイアス電圧を有する、追加のディスプレイ要素を含み得る。
【０００６】
いくつかの実施態様では、ディスプレイ要素は、干渉変調器を含み得る。電子回路は、バイアス電圧を確定するために、白色点とバイアス電圧とを相関させる情報を記憶するデータベースにアクセスするように構成され得る。いくつかの他の実施態様では、電子回路は、バイアス電圧を確定するために、白色点とバイアス電圧とを相関させる公式を使用するように構成され得る。いくつかの実施態様は、電子回路と通信しているユーザインターフェースをさらに含み得る。電子回路は、ユーザインターフェースからの入力に基づいて、第１、第２、および第３のディスプレイ要素のためのバイアス電圧を調節することによって、白色点を調節するように構成され得る。電子回路は、第１、第２、および第３のディスプレイ要素のためのバイアス電圧間の固定の関係を使用して、白色点を調節することができる。
【０００７】
いくつかの実施態様では、反射面と部分反射面との間の距離を調節することによって、ディスプレイ要素の反射面と部分反射面とによって定義された光共振キャビティの少なくとも１つの共振波長を調整することによって、白色点が調節され得る。いくつかの実施態様では、第１のディスプレイ要素は、赤色ディスプレイ要素を含んでもよく、第２のディスプレイ要素は、緑色ディスプレイ要素を含んでもよく、第３のディスプレイ要素は、青色ディスプレイ要素を含んでもよい。赤色ディスプレイ要素は、赤色ディスプレイ要素がオン状態であるとき、赤色光を出力するように構成され得る。緑色ディスプレイ要素は、緑色ディスプレイ要素がオン状態であるとき、緑色光を出力するように構成され得る。青色ディスプレイ要素は、青色ディスプレイ要素がオン状態であるとき、青色光を出力するように構成された青色ディスプレイ要素を含み得る。いくつかの実施態様では、第１、第２、および第３のディスプレイ要素は、ディスプレイ要素がオン状態であるとき、白色光を出力するように構成された白色ディスプレイ要素をそれぞれ含み得る。
【０００８】
いくつかの実施態様では、ディスプレイデバイスは、少なくとも１つのディスプレイ要素と通信するように構成されるプロセッサをさらに含み得る。プロセッサは、画像データを処理するように構成され得る。ディスプレイデバイスは、プロセッサと通信するように構成されるメモリデバイスをさらに含み得る。ディスプレイデバイスは、少なくとも１つのディスプレイ要素に少なくとも１つの信号を送るように構成されたドライバ回路をさらに含み得る。ディスプレイデバイスは、ドライバ回路に画像データの少なくとも一部分を送るように構成されたコントローラをさらに含み得る。ディスプレイデバイスは、プロセッサに画像データを送るように構成された画像ソースモジュールをさらに含み得る。画像ソースモジュールは、受信機、トランシーバ、および送信機のうちの少なくとも１つを含み得る。ディスプレイデバイスは、入力データを受信することと、プロセッサに入力データを通信することとを行うように構成された入力デバイスをさらに含み得る。
【０００９】
本開示で説明する別の発明的態様は、光を出力するための第１の手段と、光を出力するための第２の手段と、光を出力するための第３の手段と、第１、第２、および第３の光出力手段を駆動するための手段とを含む、ディスプレイデバイスにおいて実施され得る。第１、第２、および第３の光出力手段の各々は、光出力手段が入射光を反射することができるように、光を反射するための手段が光を部分反射するための手段からある距離をおいて配置され得る、オン状態を有してもよい。各距離は、バイアス電圧に依存し得る。第１、第２、および第３の光出力手段のためのバイアス電圧のうちの少なくとも１つは、オン状態において非ゼロであり得る。少なくとも１つのバイアス電圧はまた、ディスプレイデバイスの白色点を制御するために調節可能でもあり得る。駆動手段は、少なくとも１つの非ゼロバイアス電圧を供給するために、第１、第２、および第３の光出力手段に電気的に接続され得る。いくつかの実施態様では、第１、第２、および第３の光出力手段のためのバイアス電圧のうちの少なくとも２つは、オン状態において非ゼロである。少なくとも２つのバイアス電圧のうちの１つ、いくつか、またはすべては、ディスプレイデバイスの白色点を制御するために調節可能であり得る。いくつかの他の実施態様では、第１、第２、および第３の光出力手段のためのバイアス電圧は、オン状態において非ゼロである。３つのバイアス電圧のうちの１つ、いくつか、またはすべては、ディスプレイデバイスのための白色点を制御するために調節可能であり得る。
【００１０】
ディスプレイデバイスのいくつかの実施態様では、第１、第２、および第３の光出力手段は、第１、第２、および第３の干渉変調器をそれぞれ含み得る。駆動手段は、電子回路を含んでもよく、光反射手段が反射面を含み得るか、または部分光反射手段が部分反射面を含み得る。第１の光出力手段は、赤色干渉変調器を含んでもよく、第２の光出力手段は、緑色干渉変調器を含んでもよく、第３の光出力手段は、青色干渉変調器を含んでもよい。赤色干渉変調器は、赤色光を出力するように構成され得る。緑色干渉変調器は、緑色光を出力するように構成され得る。青色干渉変調器は、青色光を出力するように構成され得る。いくつかの実施態様では、第１、第２、および第３の光出力手段は、白色干渉変調器を含む。
【００１１】
駆動手段は、白色点とバイアス電圧との間の相関に基づいて、バイアス電圧を確定するように構成され得る。いくつかの実施態様では、駆動手段は、白色点とバイアス電圧との間の相関に基づいて、バイアス電圧を確定するために、データベースにアクセスするように構成され得る。いくつかの他の実施態様では、駆動手段は、白色点とバイアス電圧との間の相関に基づいて、バイアス電圧を確定するために、公式にアクセスするように構成され得る。駆動手段は、コンピュータ可読記憶媒体と通信しているプロセッサを含み得る。ディスプレイデバイスは、白色点の選択を受信するための手段をさらに含み得る。受信手段は、ユーザインターフェースを含み得る。
【００１２】
本開示で説明する別の発明的態様は、ディスプレイデバイスの白色点を設定するための方法において実施され得る。この方法は、ディスプレイデバイスのための白色点を選択することを含み得る。ディスプレイデバイスは、第１、第２、および第３のディスプレイ要素を含み得る。各ディスプレイ要素は、ディスプレイ要素が入射光を反射することができるように、反射面が部分反射面からある距離をおいて配置され得る、オン状態を有してもよい。各距離は、バイアス電圧に依存し得る。バイアス電圧のうちの少なくとも１つは、オン状態において非ゼロであり得る。少なくとも１つのバイアス電圧はまた、ディスプレイデバイスの白色点を制御するために調節可能でもあり得る。この方法は、第１、第２、および第３のディスプレイ要素に電気的に接続された電子回路を使用して、少なくとも１つの非ゼロバイアス電圧を設定することをさらに含み得る。
【００１３】
第１、第２、および第３のディスプレイ要素は、赤色、緑色、および青色干渉変調器をそれぞれ含み得る。この方法のいくつかの実施態様では、電子回路を使用することは、白色点をバイアス電圧と相関させる情報を記憶するデータベースにアクセスすることと、データベースを使用して、第１、第２、および第３のディスプレイ要素のための対応するバイアス電圧を決定することとを含み得る。いくつかの他の実施態様では、電子回路を使用することは、白色点をバイアス電圧と相関させる公式にアクセスすることと、公式を使用して、第１、第２、および第３のディスプレイ要素のための対応するバイアス電圧を決定することとを含み得る。この方法は、白色点を選択しながら、画像を静的状態において保持することをさらに含み得る。
【００１４】
本開示で説明する別の発明的態様は、非一時的な有形のコンピュータ記憶媒体において実施され得る。この媒体は、コンピューティングシステムによって実行されたとき、コンピュータシステムに動作を実行させることができる、その上に記憶された命令を有し得る。それらの動作は、ディスプレイデバイスのための白色点の選択を受信することと、白色点をディスプレイデバイスの第１、第２、および第３のディスプレイ要素のためのバイアス電圧と相関させる情報にアクセスすることと、その情報を使用して、選択された白色点のための対応するバイアス電圧を決定することとを含み得る。白色点の選択を受信することは、ユーザインターフェースを介して指示を受信することを含み得る。いくつかの実施態様では、情報にアクセスすることは、白色点をバイアス電圧と相関させる情報を記憶するデータベースにアクセスすることを含み得る。いくつかの他の実施態様では、情報にアクセスすることは、白色点をバイアス電圧と相関させる公式にアクセスすることを含み得る。公式は、第１、第２、および第３のディスプレイ要素のためのバイアス電圧間の固定の関係を含み得る。
【００１５】
本明細書で説明する主題の１つまたは複数の実施態様の詳細が、添付の図面および以下の説明において示されている。他の特徴、態様、および利点は、説明、図面、および特許請求の範囲から明らかになるであろう。以下の図の相対寸法は一定の縮尺で描かれていないことがあることに留意されたい。
【図面の簡単な説明】
【００１６】
【図１】干渉変調器（ＩＭＯＤ）ディスプレイデバイスの一連のピクセル中の２つの隣接ピクセルを示す等角図の一例を示す図。
【図２】３×３干渉変調器ディスプレイを組み込んだ電子デバイスを示すシステムブロック図の一例を示す図。
【図３】図１の干渉変調器についての可動反射層位置対印加電圧を示す図の一例を示す図。
【図４】様々なコモン電圧およびセグメント電圧が印加されたときの干渉変調器の様々な状態を示す表の一例を示す図。
【図５Ａ】図２の３×３干渉変調器ディスプレイにおけるディスプレイデータのフレームを示す図の一例を示す図。
【図５Ｂ】図５Ａに示すディスプレイデータのフレームを書き込むために使用され得るコモン信号およびセグメント信号についてのタイミング図の一例を示す図。
【図６Ａ】図１の干渉変調器ディスプレイの部分断面図の一例を示す図。
【図６Ｂ】干渉変調器の異なる実施態様の断面図の一例を示す図。
【図６Ｃ】干渉変調器の異なる実施態様の断面図の一例を示す図。
【図６Ｄ】干渉変調器の異なる実施態様の断面図の一例を示す図。
【図６Ｅ】干渉変調器の異なる実施態様の断面図の一例を示す図。
【図７】干渉変調器のための製造プロセスを示す流れ図の一例を示す図。
【図８Ａ】干渉変調器を製作する方法における様々な段階の断面概略図の一例を示す図。
【図８Ｂ】干渉変調器を製作する方法における様々な段階の断面概略図の一例を示す図。
【図８Ｃ】干渉変調器を製作する方法における様々な段階の断面概略図の一例を示す図。
【図８Ｄ】干渉変調器を製作する方法における様々な段階の断面概略図の一例を示す図。
【図８Ｅ】干渉変調器を製作する方法における様々な段階の断面概略図の一例を示す図。
【図９Ａ】０ボルトの印加電圧（印加静電力）をもつ赤色干渉変調器の断面概略図の一例を示す図。
【図９Ｂ】Ｖｒｅｄ１のバイアス電圧をもつ赤色干渉変調器の断面概略図の一例を示す図。
【図９Ｃ】Ｖｒｅｄ２のバイアス電圧をもつ赤色干渉変調器の断面概略図の一例を示す図。
【図９Ｄ】０ボルトの印加電圧（印加静電力）をもつ緑色干渉変調器の断面概略図の一例を示す図。
【図９Ｅ】Ｖｇｒｅｅｎ１のバイアス電圧をもつ緑色干渉変調器の断面概略図の一例を示す図。
【図９Ｆ】Ｖｇｒｅｅｎ２のバイアス電圧をもつ緑色干渉変調器の断面概略図の一例を示す図。
【図９Ｇ】０ボルトの印加電圧（印加静電力）をもつ青色干渉変調器の断面図の一例を示す図。
【図９Ｈ】Ｖｂｌｕｅ１のバイアス電圧をもつ青色干渉変調器の断面概略図の一例を示す図。
【図９Ｉ】Ｖｂｌｕｅ２のバイアス電圧をもつ青色干渉変調器の断面概略図の一例を示す図。
【図１０】異なる電圧が干渉変調器のオン状態において使用されるとき、干渉変調器ディスプレイによって出力される色の例示的な特性化を示す図。
【図１１】図１０に示す白色点の拡大図を示す図。
【図１２】ディスプレイデバイスの白色点を設定するための例示的な方法を示す図。
【図１３】ディスプレイデバイスの白色点を設定するための別の例示的な方法を示す図。
【図１４Ａ】複数の干渉変調器を含むディスプレイデバイスを示すシステムブロック図の例を示す図。
【図１４Ｂ】複数の干渉変調器を含むディスプレイデバイスを示すシステムブロック図の例を示す図。
【詳細な説明】
【００１７】
様々な図面中の同様の参照番号および名称は同様の要素を示す。
【００１８】
以下の詳細な説明は、発明的態様について説明する目的で、いくつかの実施態様を対象とする。しかしながら、本明細書の教示は、多数の異なる方法で適用され得る。説明する実施態様は、動いていようと（たとえば、ビデオ）、静止していようと（たとえば、静止画像）、およびテキストであろうと、グラフィックであろうと、絵であろうと、画像を表示するように構成された任意のデバイスにおいて実施され得る。より具体的には、実施態様は、限定はしないが、携帯電話、マルチメディアインターネット対応セルラー電話、モバイルテレビジョン受信機、ワイヤレスデバイス、スマートフォン、Ｂｌｕｅｔｏｏｔｈ（登録商標）デバイス、携帯情報端末（ＰＤＡ）、ワイヤレス電子メール受信機、ハンドヘルドまたはポータブルコンピュータ、ネットブック、ノートブック、スマートブック、タブレット、プリンタ、コピー機、スキャナ、ファクシミリデバイス、ＧＰＳ受信機／ナビゲータ、カメラ、ＭＰ３プレーヤ、カムコーダ、ゲーム機、腕時計、クロック、計算器、テレビジョンモニタ、フラットパネルディスプレイ、電子リーディングデバイス（たとえば、電子リーダー）、コンピュータモニタ、自動車ディスプレイ（たとえば、オドメータディスプレイなど）、コックピットコントロールおよび／またはディスプレイ、カメラビューディスプレイ（たとえば、車両における後部ビューカメラのディスプレイ）、電子写真、電子ビルボードまたは標示、プロジェクタ、アーキテクチャ構造物、電子レンジ、冷蔵庫、ステレオシステム、カセットレコーダーまたはプレーヤ、ＤＶＤプレーヤ、ＣＤプレーヤ、ＶＣＲ、ラジオ、ポータブルメモリチップ、洗濯機、乾燥機、洗濯機／乾燥機、パーキングメーター、パッケージング（たとえば、電気機械システム（ＥＭＳ）、ＭＥＭＳおよび非ＭＥＭＳ）、審美構造物（たとえば、１つの宝飾品上の画像のディスプレイ）、ならびに様々な電気機械システムデバイスなど、様々な電子デバイス中に実施されるかまたはそれらに関連付けられ得ると考えられる。また、本明細書の教示は、限定はしないが、電子スイッチングデバイス、無線周波フィルタ、センサー、加速度計、ジャイロスコープ、運動感知デバイス、磁力計、コンシューマーエレクトロニクスのための慣性構成要素、コンシューマーエレクトロニクス製品の部品、バラクタ、液晶デバイス、電気泳動デバイス、駆動方式、製造プロセス、電子テスト機器など、非ディスプレイ適用例において使用され得る。したがって、本教示は、単に図に示す実施態様に限定されるものではなく、代わりに、当業者に直ちに明らかになるであろう広い適用性を有する。
【００１９】
ディスプレイデバイスは、空間光変調要素（たとえば、干渉変調器）など、ディスプレイ要素のセットの１つまたは複数の実施態様を使用して作製され得る。たとえば、ディスプレイデバイスは、第１、第２、および第３の干渉変調器を含んでもよく、各変調器は、異なる色（たとえば、赤色、緑色、および青色）の光を出力するように構成される。各ディスプレイ要素は、ディスプレイ要素が、共振波長を有する入射光を反射することができるように、反射面が部分反射面からある距離をおいて配置される、オン状態を有してもよい。各距離は、バイアス電圧に少なくとも部分的に依存し得る。いくつかの実施態様では、ディスプレイ要素のためのバイアス電圧は、オン状態において非ゼロである。
【００２０】
ディスプレイデバイスは、ディスプレイ要素を駆動するように構成された電子回路を含み得る。電子回路は、非ゼロバイアス電圧を供給するために、ディスプレイ要素に電気的に接続され得る。いくつかの実施態様では、電子回路は、バイアス電圧を確定するために、データベースまたは公式のいずれかにアクセスすることができる。データベースまたは公式は、バイアス電圧と、たとえば、白色点など、別の特性との間の相関を与えることができる。ディスプレイデバイスの白色点は、一般にニュートラル（たとえば、グレーまたはアクロマート）であると考えられる色相であり得る。ディスプレイデバイスの白色点は、デバイスによって生成される白色光と、特定の温度において黒体によって発せられた光（「黒体放射」）のスペクトル成分との比較に基づいて、特性化され得る。したがって、白色点とバイアス電圧との間の関係を知ることによって、ディスプレイデバイスは、非ゼロ電圧オン状態においてディスプレイ要素のバイアス電圧を調節することによって、ディスプレイデバイスの白色点を制御するように構成され得る。
【００２１】
本開示で説明する主題の特定の実施態様は、以下の潜在的な利点のうちの１つまたは複数を実現するように実施され得る。たとえば、ユーザは、特定の環境において、別の白色点をもつディスプレイよりも、ある白色点をもつディスプレイにより好意的に反応することがあり、たとえば、ユーザは、家の環境に類似する白色点をもつディスプレイよりも、自然な日光に類似する白色点をもつディスプレイに好意的に反応することがある。したがって、ユーザは、他の白色点をもつディスプレイよりも、ある白色点をもつディスプレイを好むことがある。ディスプレイに対するユーザの反応がディスプレイの白色点によって影響され得るので、白色点の制御は、ディスプレイへのユーザの満足感を向上させるために望ましくなり得る。加えて、標準化された白色点に一致する白色点をもつディスプレイを提供することは、たとえば、異なる製造業者の間で類似する白色点をもつディスプレイを製造するために、望ましいことがある。加えて、ある画像は、ディスプレイの白色点についての仮定を用いてコード化され得る。ディスプレイの白色点が、仮定された白色点とは異なる場合、画像中の白色エリアは、白色に見えるのではなく、色相を呈することがある。このことは、知覚される画質にとって有害になり得るので、いくつかの実施態様は、仮定された白色点、たとえば、標準化された白色点にかなり近い白色点をもつ、ディスプレイデバイスを提供する。いくつかの実施態様では、ユーザはまた、ディスプレイの白色点をユーザの好みに調節することもできる。たとえば、白色点を変化させることは、ディスプレイ上の色を変化させ得るので、いくつかの実施態様では、ユーザは、画像がデフォルト設定よりも暖かく、または寒く見え得るように、白色点を調節することができる。
【００２２】
説明する実施態様が適用され得る好適な電気機械システム（ＥＭＳ）またはＭＥＭＳデバイスの一例は、反射型ディスプレイデバイスである。反射型ディスプレイデバイスは、光学干渉の原理を使用してそれに入射する光を選択的に吸収および／または反射するために干渉変調器（ＩＭＯＤ）を組み込むことができる。ＩＭＯＤは、吸収器、吸収器に対して可動である反射体、ならびに吸収器と反射体との間に画定された光共振キャビティを含むことができる。反射体は、２つ以上の異なる位置に移動され得、これは、光共振キャビティのサイズを変化させ、それにより干渉変調器の反射率に影響を及ぼすことがある。ＩＭＯＤの反射スペクトルは、かなり広いスペクトルバンドをもたらすことができ、そのスペクトルバンドは、異なる色を生成するために可視波長にわたってシフトされ得る。スペクトルバンドの位置は、光共振キャビティの厚さを変更することによって、すなわち、反射体の位置を変更することによって調節され得る。
【００２３】
図１は、干渉変調器（ＩＭＯＤ）ディスプレイデバイスの一連のピクセル中の２つの隣接ピクセルを示す等角図の一例を示す。ＩＭＯＤディスプレイデバイスは、１つまたは複数の干渉ＭＥＭＳディスプレイ要素を含む。これらのデバイスでは、ＭＥＭＳディスプレイ要素のピクセルが、明状態または暗状態のいずれかにあることがある。明（「緩和」、「開」または「オン」）状態では、ディスプレイ要素は、たとえば、ユーザに、入射可視光の大部分を反射する。逆に、暗（「作動」、「閉」または「オフ」）状態では、ディスプレイ要素は入射可視光をほとんど反射しない。ＭＥＭＳピクセルは、黒および白に加えて、主に、カラーディスプレイを可能にする特定の波長において、反射するように構成され得る。
【００２４】
ＩＭＯＤディスプレイデバイスは、ＩＭＯＤの行／列アレイを含むことができる。各ＩＭＯＤは、（光ギャップまたはキャビティとも呼ばれる）エアギャップを形成するように互いから可変で制御可能な距離をおいて配置された反射層のペア、すなわち、可動反射層と固定部分反射層とを含むことができる。可動反射層は、少なくとも２つの位置の間で移動され得る。第１の位置、すなわち、緩和位置では、可動反射層は、固定部分反射層から比較的大きい距離をおいて配置され得る。第２の位置、すなわち、作動位置では、可動反射層は、部分反射層により近接して配置され得る。それら２つの層から反射する入射光は、可動反射層の位置に応じて、強め合うようにまたは弱め合うように干渉し、各ピクセルについて全反射状態または無反射状態のいずれかを引き起こすことがある。いくつかの実施態様では、ＩＭＯＤは、作動していないときに反射状態にあり、可視スペクトル内の光を反射し得、また、作動していないときに暗状態にあり、可視範囲外の光（たとえば、赤外光）を反射し得る。ただし、いくつかの他の実施態様では、ＩＭＯＤは、作動していないときに暗状態にあり、作動しているときに反射状態にあり得る。いくつかの実施態様では、印加電圧の導入が、状態を変更するようにピクセルを駆動することができる。いくつかの他の実施態様では、印加電荷が、状態を変更するようにピクセルを駆動することができる。
【００２５】
図１中のピクセルアレイの図示の部分は、２つの隣接する干渉変調器１２を含む。（図示のような）左側のＩＭＯＤ１２では、可動反射層１４が、部分反射層を含む光学スタック１６からの所定の距離における緩和位置に示されている。左側のＩＭＯＤ１２の両端間に印加された電圧Ｖ0は、可動反射層１４の作動を引き起こすには不十分である。右側のＩＭＯＤ１２では、可動反射層１４は、光学スタック１６の近くの、またはそれに隣接する作動位置に示されている。右側のＩＭＯＤ１２の両端間に印加された電圧Ｖbiasは、可動反射層１４を作動位置に維持するのに十分である。
【００２６】
図１では、ピクセル１２の反射特性が、概して、ピクセル１２に入射する光を示す矢印１３と、左側のピクセル１２から反射する光１５とを用いて示されている。詳細に示していないが、ピクセル１２に入射する光１３の大部分は透明基板２０を透過され、光学スタック１６に向かうことになることを、当業者なら理解されよう。光学スタック１６に入射する光の一部分は光学スタック１６の部分反射層を透過されることになり、一部分は反射され、透明基板２０を通って戻ることになる。光学スタック１６を透過された光１３の部分は、可動反射層１４において反射され、透明基板２０に向かって（およびそれを通って）戻ることになる。光学スタック１６の部分反射層から反射された光と可動反射層１４から反射された光との間の（強め合うまたは弱め合う）干渉が、ピクセル１２から反射される光１５の（１つまたは複数の）波長を決定することになる。
【００２７】
光学スタック１６は、単一の層またはいくつかの層を含むことができる。その（１つまたは複数の）層は、電極層と、部分反射および部分透過層と、透明な誘電体層とのうちの１つまたは複数を含むことができる。いくつかの実施態様では、光学スタック１６は、電気伝導性であり、部分的に透明で、部分的に反射性であり、たとえば、透明基板２０上に上記の層のうちの１つまたは複数を堆積させることによって、作製され得る。電極層は、様々な金属、たとえば酸化インジウムスズ（ＩＴＯ）など、様々な材料から形成され得る。部分反射層は、様々な金属、たとえば、クロム（Ｃｒ）、半導体、および誘電体など、部分的に反射性である様々な材料から形成され得る。部分反射層は、材料の１つまたは複数の層から形成され得、それらの層の各々は、単一の材料または材料の組合せから形成され得る。いくつかの実施態様では、光学スタック１６は、光吸収体と導体の両方として働く、金属または半導体の単一の半透明の膜（thickness）を含むことができるが、（たとえば、光学スタック１６の、またはＩＭＯＤの他の構造の）異なる、より伝導性の高い層または部分が、ＩＭＯＤピクセル間で信号をバスで運ぶ（bus）ように働くことができる。光学スタック１６は、１つまたは複数の伝導性層または伝導性／吸収層をカバーする、１つまたは複数の絶縁層または誘電体層をも含むことができる。
【００２８】
いくつかの実施態様では、光学スタック１６の（１つまたは複数の）層は、以下でさらに説明するように、平行ストリップにパターニングされ得、ディスプレイデバイスにおける行電極を形成し得る。当業者によって理解されるように、「パターニング」という用語は、本明細書では、マスキングプロセスならびにエッチングプロセスを指すために使用される。いくつかの実施態様では、アルミニウム（Ａｌ）などの高伝導性および反射性材料が可動反射層１４のために使用され得、これらのストリップはディスプレイデバイスにおける列電極を形成し得る。可動反射層１４は、（光学スタック１６の行電極に直交する）１つまたは複数の堆積された金属層の一連の平行ストリップとして形成されて、ポスト１８の上に堆積された列とポスト１８間に堆積された介在する犠牲材料とを形成し得る。犠牲材料がエッチング除去されると、画定されたギャップ１９または光キャビティが可動反射層１４と光学スタック１６との間に形成され得る。いくつかの実施態様では、ポスト１８間の間隔は約１〜１０００μｍであり得、ギャップ１９は１０，０００オングストローム（Å）未満であり得る。
【００２９】
いくつかの実施態様では、ＩＭＯＤの各ピクセルは、作動状態にあろうと緩和状態にあろうと、本質的に、固定反射層および可動反射層によって形成されるキャパシタである。電圧が印加されないとき、可動反射層１４は、図１中の左側のピクセル１２によって示されるように、機械的に緩和した状態にとどまり、可動反射層１４と光学スタック１６との間のギャップ１９がある。しかしながら、電位差、たとえば、電圧が、選択された行および列のうちの少なくとも１つに印加されたとき、対応するピクセルにおける行電極と列電極との交差部に形成されたキャパシタは帯電し、静電力がそれらの電極を引き合わせる。印加された電圧がしきい値を超える場合、可動反射層１４は、変形し、光学スタック１６の近くにまたはそれに対して移動することができる。光学スタック１６内の誘電体層（図示せず）が、図１中の右側の作動ピクセル１２によって示されるように、短絡を防ぎ、層１４と層１６との間の分離距離を制御し得る。その挙動は、印加電位差の極性にかかわらず同じである。いくつかの事例ではアレイ中の一連のピクセルが「行」または「列」と呼ばれることがあるが、ある方向を「行」と呼び、別の方向を「列」と呼ぶことは恣意的であることを、当業者は容易に理解されよう。言い換えれば、いくつかの配向では、行は列と見なされ得、列は行であると見なされ得る。さらに、ディスプレイ要素は、直交する行および列に一様に配置されるか（「アレイ」）、または、たとえば、互いに対して一定の位置オフセットを有する、非線形構成で配置され得る（「モザイク」）。「アレイ」および「モザイク」という用語は、いずれかの構成を指し得る。したがって、ディスプレイは、「アレイ」または「モザイク」を含むものとして言及されるが、その要素自体は、いかなる事例においても、互いに直交して配置される必要がなく、または一様な分布で配設される必要がなく、非対称形状および不均等に分布された要素を有する配置を含み得る。
【００３０】
図２は、３×３干渉変調器ディスプレイを組み込んだ電子デバイスを示すシステムブロック図の一例を示す。電子デバイスは、１つまたは複数のソフトウェアモジュールを実行するように構成され得るプロセッサ２１を含む。オペレーティングシステムを実行することに加えて、プロセッサ２１は、ウェブブラウザ、電話アプリケーション、電子メールプログラム、または他のソフトウェアアプリケーションを含む、１つまたは複数のソフトウェアアプリケーションを実行するように構成され得る。
【００３１】
プロセッサ２１は、アレイドライバ２２と通信するように構成され得る。アレイドライバ２２は、たとえば、ディスプレイアレイまたはパネル３０に、信号を与える行ドライバ回路２４と列ドライバ回路２６とを含むことができる。図２には、図１に示したＩＭＯＤディスプレイデバイスの断面が線１−１によって示されている。図２は明快のためにＩＭＯＤの３×３アレイを示しているが、ディスプレイアレイ３０は、極めて多数のＩＭＯＤを含んでいることがあり、列におけるＩＭＯＤの数とは異なる数のＩＭＯＤを行において有し得、その逆も同様である。
【００３２】
図３は、図１の干渉変調器についての可動反射層位置対印加電圧を示す図の一例を示す。ＭＥＭＳ干渉変調器の場合、行／列（すなわち、コモン／セグメント）書込みプロシージャが、図３に示すこれらのデバイスのヒステリシス特性を利用し得る。干渉変調器は、可動反射層またはミラーに緩和状態から作動状態に変更させるために、たとえば、約１０ボルトの電位差を必要とし得る。電圧がその値から低減されると、電圧が低下して、たとえば、１０ボルトより下に戻ったとき、可動反射層はそれの状態を維持するが、電圧が２ボルトより下に低下するまで、可動反射層は完全には緩和しない。したがって、図３に示すように、印加電圧のウィンドウがある電圧の範囲、約３〜７ボルトが存在し、そのウィンドウ内でデバイスは緩和状態または作動状態のいずれかで安定している。これは、本明細書では「ヒステリシスウィンドウ」または「安定性ウィンドウ」と呼ばれる。図３のヒステリシス特性を有するディスプレイアレイ３０の場合、行／列書込みプロシージャは、一度に１つまたは複数の行をアドレス指定するように設計され得、その結果、所与の行のアドレス指定中に、作動されるべきアドレス指定された行におけるピクセルは、約１０ボルトの電圧差にさらされ、緩和されるべきピクセルは、ほぼ０ボルトの電圧差にさらされる。アドレス指定後に、それらのピクセルは、それらが前のストローブ状態にとどまるような、約５ボルトの定常状態またはバイアス電圧差にさらされる。この例では、アドレス指定された後に、各ピクセルは、約３〜７ボルトの「安定性ウィンドウ」内の電位差を経験する。このヒステリシス特性の特徴は、たとえば、図１に示した、ピクセル設計が、同じ印加電圧条件下で作動または緩和のいずれかの既存の状態で安定したままであることを可能にする。各ＩＭＯＤピクセルは、作動状態にあろうと緩和状態にあろうと、本質的に、固定反射層および可動反射層によって形成されるキャパシタであるので、この安定状態は、電力を実質的に消費するかまたは失うことなしに、ヒステリシスウィンドウ内の定常電圧において保持され得る。その上、印加電圧電位が実質的に固定のままである場合、電流は本質的にほとんどまたはまったくＩＭＯＤピクセルに流れ込まない。
【００３３】
いくつかの実施態様では、所与の行におけるピクセルの状態の所望の変化（もしあれば）に従って、列電極のセットに沿って「セグメント」電圧の形態のデータ信号を印加することによって、画像のフレームが作成され得る。次に、フレームが一度に１行書き込まれるように、アレイの各行がアドレス指定され得る。第１の行におけるピクセルに所望のデータを書き込むために、第１の行におけるピクセルの所望の状態に対応するセグメント電圧が列電極上に印加され得、特定の「コモン」電圧または信号の形態の第１の行パルスが第１の行電極に印加され得る。次いで、セグメント電圧のセットは、第２の行におけるピクセルの状態の所望の変化（もしあれば）に対応するように変更され得、第２のコモン電圧が第２の行電極に印加され得る。いくつかの実施態様では、第１の行におけるピクセルは、列電極に沿って印加されたセグメント電圧の変化による影響を受けず、第１のコモン電圧行パルス中にそれらのピクセルが設定された状態にとどまる。このプロセスは、画像フレームを生成するために、一連の行全体、または代替的に、一連の列全体について、連続方式で繰り返され得る。フレームは、何らかの所望の数のフレーム毎秒でこのプロセスを断続的に反復することによって、新しい画像データでリフレッシュおよび／または更新され得る。
【００３４】
各ピクセルの両端間に印加されるセグメント信号とコモン信号の組合せ（すなわち、各ピクセルの両端間の電位差）は、各ピクセルの得られる状態を決定する。図４は、様々なコモン電圧およびセグメント電圧が印加されたときの干渉変調器の様々な状態を示す表の一例を示している。当業者によって容易に理解されるように、「セグメント」電圧は、列電極または行電極のいずれかに印加され得、「コモン」電圧は、列電極または行電極のうちの他方に印加され得る。
【００３５】
図４に（ならびに図５Ｂに示すタイミング図に）示すように、開放電圧（release voltage）ＶＣＲＥＬがコモンラインに沿って印加されたとき、コモンラインに沿ったすべての干渉変調器要素は、セグメントラインに沿って印加された電圧、すなわち、高いセグメント電圧ＶＳＨおよび低いセグメント電圧ＶＳＬにかかわらず、代替的に開放または非作動状態と呼ばれる、緩和状態に入れられることになる。特に、開放電圧ＶＣＲＥＬがコモンラインに沿って印加されると、そのピクセルのための対応するセグメントラインに沿って高いセグメント電圧ＶＳＨが印加されたときも、低いセグメント電圧ＶＳＬが印加されたときも、変調器の両端間の潜在的な電圧（代替的にピクセル電圧と呼ばれる）は緩和ウィンドウ（図３参照。開放ウィンドウとも呼ばれる）内にある。
【００３６】
高い保持電圧ＶＣＨＯＬＤ＿Ｈまたは低い保持電圧ＶＣＨＯＬＤ＿Ｌなどの保持電圧がコモンライン上に印加されたとき、干渉変調器の状態は一定のままであることになる。たとえば、緩和ＩＭＯＤは緩和位置にとどまることになり、作動ＩＭＯＤは作動位置にとどまることになる。保持電圧は、対応するセグメントラインに沿って高いセグメント電圧ＶＳＨが印加されたときも、低いセグメント電圧ＶＳＬが印加されたときも、ピクセル電圧が安定性ウィンドウ内にとどまることになるように、選択され得る。したがって、セグメント電圧スイング（voltage swing）、すなわち、高いＶＳＨと低いセグメント電圧ＶＳＬとの間の差は、正または負のいずれかの安定性ウィンドウの幅よりも小さい。
【００３７】
高いアドレス指定電圧ＶＣＡＤＤ＿Ｈまたは低いアドレス指定電圧ＶＣＡＤＤ＿Ｌなどのアドレス指定または作動電圧がコモンライン上に印加されたとき、それぞれのセグメントラインに沿ったセグメント電圧の印加によって、データがそのコモンラインに沿った変調器に選択的に書き込まれ得る。セグメント電圧は、作動が印加されたセグメント電圧に依存するように選択され得る。アドレス指定電圧がコモンラインに沿って印加されたとき、一方のセグメント電圧の印加は、安定性ウィンドウ内のピクセル電圧をもたらし、ピクセルが非作動のままであることを引き起こすことになる。対照的に、他方のセグメント電圧の印加は、安定性ウィンドウを越えるピクセル電圧をもたらし、ピクセルの作動をもたらすことになる。作動を引き起こす特定のセグメント電圧は、どのアドレス指定電圧が使用されるかに応じて変動することができる。いくつかの実施態様では、高いアドレス指定電圧ＶＣＡＤＤ＿Ｈがコモンラインに沿って印加されたとき、高いセグメント電圧ＶＳＨの印加は、変調器がそれの現在位置にとどまることを引き起こすことがあり、低いセグメント電圧ＶＳLの印加は、変調器の作動を引き起こすことがある。当然の結果として、低いアドレス指定電圧ＶＣＡＤＤ＿Ｌが印加されたとき、セグメント電圧の影響は反対であり、高いセグメント電圧ＶＳＨは変調器の作動を引き起こし、低いセグメント電圧ＶＳＬは変調器の状態に影響しない（すなわち、安定したままである）ことがある。
【００３８】
いくつかの実施態様では、常に変調器の両端間で同じ極性電位差を引き起こす保持電圧、アドレス電圧、およびセグメント電圧が使用され得る。いくつかの他の実施態様では、変調器の電位差の極性を交番する信号が使用され得る。変調器の両端間の極性の交番（すなわち、書込みプロシージャの極性の交番）は、単一の極性の反復書込み動作後に起こることがある電荷蓄積を低減または抑止し得る。
【００３９】
図５Ａは、図２の３×３干渉変調器ディスプレイにおけるディスプレイデータのフレームを示す図の一例を示す。図５Ｂは、図５Ａに示すディスプレイデータのフレームを書き込むために使用され得るコモン信号およびセグメント信号についてのタイミング図の一例を示す。それらの信号は、たとえば、図２の３×３アレイに印加され得、これは、図５Ａに示すライン時間６０ｅディスプレイ配置を最終的にもたらすことになる。図５Ａ中の作動変調器は暗状態にあり、すなわち、その状態では、反射光の実質的部分が、たとえば、閲覧者に、暗いアピアランスをもたらすように可視スペクトルの外にある。図５Ａに示すフレームを書き込むより前に、ピクセルは任意の状態にあることがあるが、図５Ｂのタイミング図に示す書込みプロシージャは、各変調器が、第１のライン時間６０ａの前に、開放されており、非作動状態に属すると仮定する。
【００４０】
第１のライン時間６０ａ中に、開放電圧７０がコモンライン１上に印加され、コモンライン２上に印加される電圧が、高い保持電圧７２において始まり、開放電圧７０に移動し、低い保持電圧７６がコモンライン３に沿って印加される。したがって、コモンライン１に沿った変調器（コモン１，セグメント１）、（１，２）および（１，３）は、第１のライン時間６０ａの持続時間の間、緩和または非作動状態にとどまり、コモンライン２に沿った変調器（２，１）、（２，２）および（２，３）は、緩和状態に移動することになり、コモンライン３に沿った変調器（３，１）、（３，２）および（３，３）は、それらの前の状態にとどまることになる。図４を参照すると、コモンライン１、２または３のいずれも、ライン時間６０ａ中に作動を引き起こす電圧レベルにさらされていないので（すなわち、ＶＣＲＥＬ−緩和、およびＶＣＨＯＬＤ＿Ｌ−安定）、セグメントライン１、２および３に沿って印加されたセグメント電圧は、干渉変調器の状態に影響しないことになる。
【００４１】
第２のライン時間６０ｂ中に、コモンライン１上の電圧は高い保持電圧７２に移動し、コモンライン１に沿ったすべての変調器は、アドレス指定または作動電圧がコモンライン１上に印加されなかったので、印加されたセグメント電圧にかかわらず、緩和状態にとどまる。コモンライン２に沿った変調器は、開放電圧７０の印加により、緩和状態にとどまり、コモンライン３に沿った変調器（３，１）、（３，２）および（３，３）は、コモンライン３に沿った電圧が開放電圧７０に移動するとき、緩和することになる。
【００４２】
第３のライン時間６０ｃ中に、コモンライン１は、コモンライン１上に高いアドレス電圧７４を印加することによってアドレス指定される。このアドレス電圧の印加中に低いセグメント電圧６４がセグメントライン１および２に沿って印加されるので、変調器（１，１）および（１，２）の両端間のピクセル電圧は変調器の正の安定性ウィンドウの上端よりも大きく（すなわち、電圧差は、あらかじめ定義されたしきい値を超えた）、変調器（１，１）および（１，２）は作動される。逆に、高いセグメント電圧６２がセグメントライン３に沿って印加されるので、変調器（１，３）の両端間のピクセル電圧は、変調器（１，１）および（１，２）のピクセル電圧よりも小さく、変調器の正の安定性ウィンドウ内にとどまり、したがって変調器（１，３）は緩和したままである。また、ライン時間６０ｃ中に、コモンライン２に沿った電圧は低い保持電圧７６に減少し、コモンライン３に沿った電圧は開放電圧７０にとどまり、コモンライン２および３に沿った変調器を緩和位置のままにする。
【００４３】
第４のライン時間６０ｄ中に、コモンライン１上の電圧は、高い保持電圧７２に戻り、コモンライン１に沿った変調器を、それらのそれぞれのアドレス指定された状態のままにする。コモンライン２上の電圧は低いアドレス電圧７８に減少される。高いセグメント電圧６２がセグメントライン２に沿って印加されるので、変調器（２，２）の両端間のピクセル電圧は、変調器の負の安定性ウィンドウの下側端部（lower end）を下回り、変調器（２，２）が作動することを引き起こす。逆に、低いセグメント電圧６４がセグメントライン１および３に沿って印加されるので、変調器（２，１）および（２，３）は緩和位置にとどまる。コモンライン３上の電圧は、高い保持電圧７２に増加し、コモンライン３に沿った変調器を緩和状態のままにする。
【００４４】
最後に、第５のライン時間６０ｅ中に、コモンライン１上の電圧は高い保持電圧７２にとどまり、コモンライン２上の電圧は低い保持電圧７６にとどまり、コモンライン１および２に沿った変調器を、それらのそれぞれのアドレス指定された状態のままにする。コモンライン３上の電圧は、コモンライン３に沿った変調器をアドレス指定するために、高いアドレス電圧７４に増加する。低いセグメント電圧６４がセグメントライン２および３上に印加されるので、変調器（３，２）および（３，３）は作動するが、セグメントライン１に沿って印加された高いセグメント電圧６２は、変調器（３，１）が緩和位置にとどまることを引き起こす。したがって、第５のライン時間６０ｅの終わりに、３×３ピクセルアレイは、図５Ａに示す状態にあり、他のコモンライン（図示せず）に沿った変調器がアドレス指定されているときに起こり得るセグメント電圧の変動にかかわらず、保持電圧がコモンラインに沿って印加される限り、その状態にとどまることになる。
【００４５】
図５Ｂのタイミング図では、所与の書込みプロシージャ（すなわち、ライン時間６０ａ〜６０ｅ）は、高い保持およびアドレス電圧、または低い保持およびアドレス電圧のいずれかの使用を含むことができる。書込みプロシージャが所与のコモンラインについて完了されると（また、コモン電圧が、作動電圧と同じ極性を有する保持電圧に設定されると）、ピクセル電圧は、所与の安定性ウィンドウ内にとどまり、開放電圧がそのコモンライン上に印加されるまで、緩和ウィンドウを通過しない。さらに、各変調器が、変調器をアドレス指定するより前に書込みプロシージャの一部として開放されるので、開放時間ではなく変調器の作動時間が、必要なライン時間を決定し得る。詳細には、変調器の開放時間が作動時間よりも大きい実施態様では、開放電圧は、図５Ｂに示すように、単一のライン時間よりも長く印加され得る。いくつかの他の実施態様では、コモンラインまたはセグメントラインに沿って印加される電圧が、異なる色の変調器など、異なる変調器の作動電圧および開放電圧の変動を相殺するように変動し得る。
【００４６】
上記に記載した原理に従って動作する干渉変調器の構造の詳細は大きく異なり得る。たとえば、図６Ａ〜図６Ｅは、可動反射層１４とそれの支持構造とを含む、干渉変調器の異なる実施態様の断面図の例を示している。図６Ａは、金属材料のストリップ、すなわち、可動反射層１４が、基板２０から直角に延在する支持体１８上に堆積される、図１の干渉変調器ディスプレイの部分断面図の一例を示している。図６Ｂでは、各ＩＭＯＤの可動反射層１４は、概して形状が正方形または長方形であり、コーナーにおいてまたはその近くでテザー３２に接して支持体に取り付けられる。図６Ｃでは、可動反射層１４は、概して形状が正方形または長方形であり、フレキシブルな金属を含み得る変形可能層３４から吊るされる。変形可能層３４は、可動反射層１４の外周の周りで基板２０に直接または間接的に接続することがある。これらの接続は、本明細書では支持ポストと呼ばれる。図６Ｃに示す実施態様は、変形可能層３４によって行われる可動反射層１４の機械的機能からのそれの光学的機能の分離から派生する追加の利益を有する。この分離は、反射層１４のために使用される構造設計および材料と、変形可能層３４のために使用される構造設計および材料とが、互いとは無関係に最適化されることを可能にする。
【００４７】
図６Ｄは、可動反射層１４が反射副層（reflective sub-layer）１４ａを含む、ＩＭＯＤの別の例を示している。可動反射層１４は、支持ポスト１８などの支持構造上に載る。支持ポスト１８は、たとえば、可動反射層１４が緩和位置にあるとき、可動反射層１４と光学スタック１６との間にギャップ１９が形成されるように、下側静止電極（すなわち、図示のＩＭＯＤにおける光学スタック１６の一部）からの可動反射層１４の分離を可能にする。可動反射層１４は、電極として働くように構成され得る伝導性層１４ｃと、支持層１４ｂとをも含むことができる。この例では、伝導性層１４ｃは、基板２０から遠位にある支持層１４ｂの一方の面に配設され、反射副層１４ａは、基板２０の近位にある支持層１４ｂの他方の面に配設される。いくつかの実施態様では、反射副層１４ａは、伝導性であることがあり、支持層１４ｂと光学スタック１６との間に配設され得る。支持層１４ｂは、誘電材料、たとえば、酸窒化ケイ素（ＳｉＯＮ）または二酸化ケイ素（ＳｉＯ２）の、１つまたは複数の層を含むことができる。いくつかの実施態様では、支持層１４ｂは、たとえば、ＳｉＯ２／ＳｉＯＮ／ＳｉＯ２３層スタックなど、複数の層のスタックであり得る。反射副層１４ａと伝導性層１４ｃのいずれかまたは両方は、たとえば、約０．５％の銅（Ｃｕ）または別の反射金属材料を用いた、アルミニウム（Ａｌ）合金を含むことができる。誘電支持層１４ｂの上および下で伝導性層１４ａ、１４ｃを採用することは、応力のバランスをとり、伝導の向上を与えることができる。いくつかの実施態様では、反射副層１４ａおよび伝導性層１４ｃは、可動反射層１４内の特定の応力プロファイルを達成することなど、様々な設計目的で、異なる材料から形成され得る。
【００４８】
図６Ｄに示すように、いくつかの実施態様はブラックマスク構造２３をも含むことができる。ブラックマスク構造２３は、周辺光または迷光を吸収するために、光学不活性領域において（たとえば、ピクセル間にまたはポスト１８の下に）形成され得る。ブラックマスク構造２３はまた、光がディスプレイの不活性部分から反射されることまたはそれを透過されることを抑止し、それによりコントラスト比を増加させることによって、ディスプレイデバイスの光学的特性を改善することができる。さらに、ブラックマスク構造２３は、伝導性であり、電気的バス層として機能するように構成され得る。いくつかの実施態様では、行電極は、接続された行電極の抵抗を低減するために、ブラックマスク構造２３に接続され得る。ブラックマスク構造２３は、堆積およびパターニング技法を含む様々な方法を使用して形成され得る。ブラックマスク構造２３は１つまたは複数の層を含むことができる。たとえば、いくつかの実施態様では、ブラックマスク構造２３は、光吸収器として働くモリブデンクロム（ＭｏＣｒ）層と、ＳｉＯ２層と、反射体およびバス層として働く、アルミニウム合金とを含み、それぞれ、約３０〜８０Å、５００〜１０００Å、および５００〜６０００Åの範囲内の厚さである。１つまたは複数の層は、たとえば、ＭｏＣｒ層およびＳｉＯ２層の場合は、カーボンテトラフルオロメタン（ＣＦ４）および／または酸素（Ｏ２）、ならびにアルミニウム合金層の場合は、塩素（Ｃｌ２）および／または三塩化ホウ素（ＢＣｌ３）を含む、フォトリソグラフィおよびドライエッチングを含む、様々な技法を使用してパターニングされ得る。いくつかの実施態様では、ブラックマスク２３はエタロンまたは干渉スタック構造であり得る。そのような干渉スタックブラックマスク構造２３では、伝導性吸収体は、各行または列の光学スタック１６における下側静止電極間で信号を送信するかまたは信号をバスで運ぶために使用され得る。いくつかの実施態様では、スペーサ層３５が、ブラックマスク２３中の伝導性層から吸収層１６ａを概して電気的に絶縁するのに、役立つことができる。
【００４９】
図６Ｅは、可動反射層１４が自立している、ＩＭＯＤの別の例を示している。図６Ｄとは対照的に、図６Ｅの実施態様は支持ポスト１８を含まない。代わりに、可動反射層１４は、複数のロケーションにおいて、下にある光学スタック１６に接触し、可動反射層１４の湾曲は、干渉変調器の両端間の電圧が作動を引き起こすには不十分であるとき、可動反射層１４が図６Ｅの非作動位置に戻るという、十分な支持を与える。複数のいくつかの異なる層を含んでいることがある光学スタック１６は、ここでは明快のために、光吸収体１６ａと誘電体１６ｂとを含む状態で示されている。いくつかの実施態様では、光吸収体１６ａは、固定電極としても、部分反射層としても働き得る。
【００５０】
図６Ａ〜図６Ｅに示す実施態様などの実施態様では、ＩＭＯＤは直視型デバイスとして機能し、直視型デバイスでは、画像が、透明基板２０の正面、すなわち、変調器が配置された面の反対の面から、閲覧される。これらの実施態様では、デバイスの背面部分（すなわち、たとえば、図６Ｃに示す変形可能層３４を含む、可動反射層１４の背後のディスプレイデバイスの任意の部分）は、反射層１４がデバイスのそれらの部分を光学的に遮蔽するので、ディスプレイデバイスの画質に影響を及ぼすことまたは悪影響を及ぼすことなしに、構成され、作用され得る。たとえば、いくつかの実施態様では、バス構造（図示せず）が可動反射層１４の背後に含まれ得、これは、電圧アドレス指定およびそのようなアドレス指定に起因する移動など、変調器の電気機械的特性から変調器の光学的特性を分離する能力を与える。さらに、図６Ａ〜図６Ｅの実施態様は、パターニングなどの処理を簡略化することができる。
【００５１】
図７は、干渉変調器のための製造プロセス８０を示す流れ図の一例を示しており、図８Ａ〜図８Ｅは、そのような製造プロセス８０の対応する段階の断面概略図の例を示している。いくつかの実施態様では、製造プロセス８０は、図７に示されていない他のブロックに加えて、たとえば、図１および図６に示す一般的なタイプの干渉変調器を製造するために実施され得る。図１、図６および図７を参照すると、プロセス８０はブロック８２において開始し、基板２０上への光学スタック１６の形成を伴う。図８Ａは、基板２０上で形成されたそのような光学スタック１６を示している。基板２０は、ガラスまたはプラスチックなどの透明基板であり得、それは、フレキシブルであるかまたは比較的固く曲がらないことがあり、光学スタック１６の効率的な形成を可能にするために、事前準備プロセス、たとえば、洗浄にかけられていることがある。上記で説明したように、光学スタック１６は、電気伝導性であり、部分的に透明で、部分的に反射性であることがあり、たとえば、透明基板２０上に、所望の特性を有する１つまたは複数の層を堆積させることによって、作製され得る。図８Ａでは、光学スタック１６は、副層１６ａおよび１６ｂを有する多層構造を含むが、いくつかの他の実施態様では、より多いまたはより少ない副層が含まれ得る。いくつかの実施態様では、副層１６ａ、１６ｂのうちの１つは、組み合わせられた導体／吸収体副層１６ａなど、光吸収特性と伝導特性の両方で構成され得る。さらに、副層１６ａ、１６ｂのうちの１つまたは複数は、平行ストリップにパターニングされ得、ディスプレイデバイスにおける行電極を形成し得る。そのようなパターニングは、当技術分野で知られているマスキングおよびエッチングプロセスまたは別の好適なプロセスによって実行され得る。いくつかの実施態様では、副層１６ａ、１６ｂのうちの１つは、１つまたは複数の金属層（たとえば、１つまたは複数の反射層および／または伝導性層）上に堆積された副層１６ｂなど、絶縁層または誘電体層であり得る。さらに、光学スタック１６は、ディスプレイの行を形成する個々の平行ストリップにパターニングされ得る。
【００５２】
プロセス８０はブロック８４において続き、光学スタック１６上への犠牲層２５の形成を伴う。犠牲層２５は、キャビティ１９を形成するために後で（たとえば、ブロック９０において）除去され、したがって、犠牲層２５は、図１に示した得られた干渉変調器１２には示されていない。図８Ｂは、光学スタック１６上で形成された犠牲層２５を含む、部分的に作製されたデバイスを示している。光学スタック１６上での犠牲層２５の形成は、後続の除去後に、所望の設計サイズを有するギャップまたはキャビティ１９（図１および図８Ｅも参照）を与えるように選択された厚さの、モリブデン（Ｍｏ）またはアモルファスシリコン（Ｓｉ）など、フッ化キセノン（ＸｅＦ２）エッチング可能材料の堆積を含み得る。犠牲材料の堆積は、物理蒸着（ＰＶＤ、たとえば、スパッタリング）、プラズマ強化化学蒸着（ＰＥＣＶＤ）、熱化学蒸着（熱ＣＶＤ）、またはスピンコーティングなど、堆積技法を使用して行われ得る。
【００５３】
プロセス８０はブロック８６において続き、支持構造、たとえば、図１、図６および図８Ｃに示すポスト１８の形成を伴う。ポスト１８の形成は、支持構造開口を形成するために犠牲層２５をパターニングすることと、次いで、ＰＶＤ、ＰＥＣＶＤ、熱ＣＶＤ、またはスピンコーティングなど、堆積方法を使用して、ポスト１８を形成するために開口中に材料（たとえば、ポリマーまたは無機材料、たとえば、酸化ケイ素）を堆積させることとを含み得る。いくつかの実施態様では、犠牲層中に形成された支持構造開口は、ポスト１８の下側端部が図６Ａに示すように基板２０に接触するように、犠牲層２５と光学スタック１６の両方を通って、下にある基板２０まで延在することがある。代替的に、図８Ｃに示すように、犠牲層２５中に形成された開口は、犠牲層２５は通るが、光学スタック１６は通らないで、延在することがある。たとえば、図８Ｅは、光学スタック１６の上側表面（upper surface）と接触している支持ポスト１８の下側端部を示している。ポスト１８、または他の支持構造は、犠牲層２５上に支持構造材料の層を堆積させることと、犠牲層２５中の開口から離れて配置された支持構造材料の部分をパターニングすることとによって形成され得る。支持構造は、図８Ｃに示すように開口内に配置され得るが、少なくとも部分的に、犠牲層２５の一部分の上で延在することもある。上述のように、犠牲層２５および／または支持ポスト１８のパターニングは、パターニングおよびエッチングプロセスによって実行され得るが、代替エッチング方法によっても実行され得る。
【００５４】
プロセス８０はブロック８８において続き、図１、図６および図８Ｄに示す可動反射層１４などの可動反射層または膜の形成を伴う。可動反射層１４は、１つまたは複数のパターニング、マスキング、および／またはエッチングステップとともに、１つまたは複数の堆積ステップ、たとえば、反射層（たとえば、アルミニウム、アルミニウム合金）堆積を採用することによって、形成され得る。可動反射層１４は、電気伝導性であり、電気伝導性層（electrically conductive layer）と呼ばれることがある。いくつかの実施態様では、可動反射層１４は、図８Ｄに示すように複数の副層１４ａ、１４ｂ、１４ｃを含み得る。いくつかの実施態様では、副層１４ａ、１４ｃなど、副層のうちの１つまたは複数は、それらの光学的特性のために選択された高反射性副層を含み得、別の副層１４ｂは、それの機械的特性のために選択された機械的副層を含み得る。犠牲層２５は、ブロック８８において形成された部分的に作製された干渉変調器中に依然として存在するので、可動反射層１４は、一般にこの段階では可動でない。犠牲層２５を含んでいる部分的に作製されたＩＭＯＤは、本明細書では「非開放（unreleased）」ＩＭＯＤと呼ばれることもある。図１に関して上記で説明したように、可動反射層１４は、ディスプレイの列を形成する個々の平行ストリップにパターニングされ得る。
【００５５】
プロセス８０はブロック９０において続き、キャビティ、たとえば、図１、図６および図８Ｅに示すキャビティ１９の形成を伴う。キャビティ１９は、（ブロック８４において堆積された）犠牲材料２５をエッチャントにさらすことによって形成され得る。たとえば、ＭｏまたはアモルファスＳｉなどのエッチング可能犠牲材料が、ドライ化学エッチングによって、たとえば、一般に、キャビティ１９を囲む構造に対して選択的に除去される、所望の量の材料を除去するのに有効である期間の間、固体ＸｅＦ２から派生した蒸気などの気体または蒸気エッチャントに犠牲層２５をさらすことによって、除去され得る。他のエッチング方法、たとえば、ウェットエッチングおよび／またはプラズマエッチングも使用され得る。犠牲層２５がブロック９０中に除去されるので、可動反射層１４は、一般に、この段階後に可動となる。犠牲材料２５の除去後に、得られた完全にまたは部分的に作製されたＩＭＯＤは、本明細書では「開放」ＩＭＯＤと呼ばれることがある。
【００５６】
ディスプレイの白色点は、一般にニュートラル（グレーまたはアクロマートなど）であると考えられる色相である。ディスプレイの白色点は、デバイスによって生成される白色光と、特定の温度において黒体によって発せられた光（「黒体放射」）のスペクトル成分との比較に基づいて、特性化され得る。黒体放射体は、物体に入射するすべての光を吸収し、その光を、黒体放射体の温度に応じたスペクトルで再び発する、理想化された物体である。たとえば、６，５００Ｋにおける黒体スペクトルは、６，５００Ｋの色温度を有する白色光と呼ばれることがある。約５，０００〜１０，０００Ｋの色温度を有するそのような白色点は、一般に、昼光で識別される。
【００５７】
国際照明委員会（ＣＩＥ：The International Commission on Illumination）は、光源の標準化された白色点を公表している。たとえば、「Ｄ」という光源名称は、昼光を指す。詳細には、５，５００Ｋ、６，５００Ｋ、および７，５００Ｋの色温度と相関する標準の白色点Ｄ55、Ｄ65、およびＤ75は、標準の昼光白色点の例である。
【００５８】
ディスプレイデバイスは、ディスプレイによって生成される白色光の白色点によって特性化され得る。白色点は、ＣＩＥ  ＸＹＺ色度図のｕ’およびｖ’座標によって表され得る。ディスプレイの白色点を変化させることは、ディスプレイの全体的な色を変化させ得る。様々な実施態様では、白色点は、ある温度、たとえば、６，５００Ｋにおいて、黒体放射体の色に厳密に一致する。したがって、そのようなディスプレイの白色点は、色温度によって特性化され得る。たとえば、５，５００Ｋなど、より低い色温度をもつディスプレイは、黄色がかった白色を有するとして知覚され得るが、たとえば、７，５００Ｋなど、より高い色温度をもつディスプレイは、青色がかった白色を有するとして知覚され得る。ディスプレイデバイスを閲覧するユーザは、一般に、より高い温度の白色点を有するディスプレイにより好意的に反応する。したがって、ディスプレイの白色点の制御を提供することは、ディスプレイへのユーザの満足感を向上させるために有用であり得、黒体放射体に一致する白色点を提供することもまた、白色点標準（たとえば、Ｄ５５、Ｄ６５、またはＤ75）に従うように調節され得るディスプレイを製造するために、望ましいことがある。たとえば、ディスプレイの白色点が、画像中でコード化された、仮定された白色点とは異なる場合、白色エリアは色相を呈することがある。いくつかの実施態様は、仮定された白色点、たとえば、標準化された白色点にかなり近い白色点をもつ、ディスプレイデバイスを提供することができる。加えて、白色点を変化させることは、ディスプレイ上の色を変化させ得るので、いくつかの実施態様では、ユーザは、画像がデフォルト設定よりも暖かく、または寒く見え得るように、ディスプレイの白色点をユーザの好みに調節することができる。
【００５９】
上記で説明したように、いくつかの実施態様では、ディスプレイ要素のピクセルが、明状態または暗状態のいずれかにあることがある。明（「緩和」、「開」または「オン」）状態では、ディスプレイ要素は、たとえば、ユーザに、入射可視光の大部分を反射する。逆に、暗（「作動」、「閉」または「オフ」）状態では、ディスプレイ要素は入射可視光をほとんど反射しない。２つの状態の間で、たとえば、オン状態からオフ状態（開から閉）へ切り替わるデバイスは、たとえば、アナログディスプレイデバイスと比較して、双安定またはデジタルディスプレイデバイス（たとえば、双安定またはデジタル変調器、双安定またはデジタルディスプレイ要素、双安定またはデジタル干渉変調器など）と呼ばれることがある。いくつかの実施態様では、明状態または暗状態のいずれかにある双安定ディスプレイ要素または双安定干渉変調器のセットを使用することによって、画像が生成される。明状態であるとき、ディスプレイ要素は、有色または白色光を出力することができる。暗状態であるとき、ディスプレイ要素は、入射可視光をほとんど反射することができない。電子回路、たとえば、ドライバ電子回路は、双安定またはデジタルになるような方法で変調器を駆動し、オン状態とオフ状態との間で選択的に切り替えることによって、画像を生成するように構成され得る。上記で説明したように、いくつかの実施態様では、干渉変調器は、開放状態または「オン」状態（以下で「オン状態」）において、ゼロバイアス電圧を有する。
【００６０】
図９Ａは、０ボルトの印加電圧（印加静電力）をもつ赤色干渉変調器の断面概略図の一例を示す。本明細書で説明するように、光キャビティまたはギャップ１９は、可動反射層１４と光学スタック１６との間に形成され得る。可動反射層１４と光学スタック１６との間の距離は、ｄと呼ばれることがある。本明細書で説明するように、距離ｄは、印加電圧に少なくとも部分的に基づいて調節され得る。本例の０ボルトの印加電圧をもつ赤色干渉変調器では、この距離は、ｄＶｒｅｄ０として示されることがあり、干渉変調器によって反射された光の色、たとえば、赤色に関連し得る、光路長と呼ばれることがある。様々な実施態様では、光学スタック１６の部分反射層から反射された光と可動反射層１４から反射された光との間の（強め合うまたは弱め合う）干渉が、ピクセルから反射される光の（１つまたは複数の）波長を決定する。図１と同様に、図９Ａに示す干渉変調器は、オン状態においてゼロのバイアス電圧を有する。オン状態においてゼロバイアス電圧を有することによって、干渉変調器は、オン状態にとどまることができ、たとえば、可動層１４と光学スタック１６との間の距離は、電圧が印加されないとき、ｄＶｒｅｄ０のままであり得る。印加電圧が、干渉変調器を作動させるために使用されるバイアス電圧Ｖｒｅｄ０よりも大きいかまたはそれに等しいとき、可動反射層１４は、光学スタック１６に向かって距離ｄVred0だけ移動することができ、干渉変調器は、オフ状態になることができる。
【００６１】
いくつかの他の実施態様では、ディスプレイデバイスは、オン状態においてバイアス電圧を有し、それによってディスプレイの白色点の制御を可能にする。図９Ｂおよび図９Ｃは、それぞれＶｒｅｄ１およびＶｒｅｄ２のバイアス電圧をもつ赤色干渉変調器の断面概略図の例を示す。図９Ｂでは、可動反射層１４と光学スタック１６との間の距離がｄＶｒｅｄ１に調節され得るように、干渉変調器を作動させるためのバイアス電圧がＶｒｅｄ１に調節され得る。この実施態様では、干渉変調器をオフ状態に作動させるために非ゼロバイアス電圧Ｖｒｅｄ１があるのみでなく、干渉変調器は、特定の色を出力するために、可動反射層１４および光学スタック１６など、反射面間の適切な距離を依然として確立しながら、干渉変調器をオン状態に保持するために、オン状態において非ゼロバイアス電圧、たとえば、正（または負）の電圧を有することができる。
【００６２】
オン状態における非ゼロバイアス電圧は、ｄＶｒｅｄ０とｄＶｒｅｄ１との間の差である、反射層１４の相対変位Δｄｒｅｄ１を生じることができる。干渉変調器によって反射される光の色がなお赤色として知覚されるが、しかし、また、異なる色相の赤色に調整され得るように、距離ΔｄＶｒｅｄ１は、ｄＶｒｅｄ０のある割合であり得る。たとえば、いくつかの実施態様では、ｄＶｒｅｄ０とｄＶｒｅｄ１との間の距離における差は、可動反射層１４が光学スタック１６により近い方向、または、可動反射層１４が光学スタック１６からより遠く離れる方向のいずれかで、ｄＶｒｅｄ０の約１％未満、約１％から２％の間、約２％から３％の間、約３％から４％の間、約４％から５％の間、約５％から６％の間、約６％から７％の間、約７％から８％の間、約８％から９％の間、約９％から１０％の間、約１０％に等しい、または１０％よりも大きくなり得る。
【００６３】
Ｖｒｅｄ１の電圧が印加されるとき、可動反射層１４は、光学スタック１６に向かって距離ｄＶｒｅｄ１だけ移動することができる。干渉変調器は、それによって、オフ状態に作動され得る。オン状態に戻るとき、図９Ｂに示す干渉変調器のための印加電圧は、非ゼロであり得、たとえば、干渉変調器は、印加静電力なしに完全に緩和され、または開いていることに比較して、可動層１４において静電的に引き起こされる変位またはシフト（Δｄｒｅｄ１）を確立する、オン状態における非ゼロバイアス電圧を有する。距離ｄＶｒｅｄ１は、図９Ａに示す赤色干渉変調器の距離ｄＶｒｅｄ０未満であり得る。いくつかの実施態様では、距離ｄＶｒｅｄ１はまた、距離ｄＶｒｅｄ０よりも大きくなり得る（図示せず）。たとえば、可動反射層１４は、光学スタック１６から離れる方向に移動することができる。
【００６４】
赤色干渉変調器は、図９Ｃに示すようにさらに調整され得る。この例では、可動反射層１４と光学スタック１６との間の距離がｄＶｒｅｄ２に調節され得るように、バイアス電圧がＶｒｅｄ２に調節され、それによって異なる静電力を印加することができる。図９Ｃでは、距離ｄＶｒｅｄ２が距離ｄＶｒｅｄ１未満であるように、静電的に引き起こされる変位Δｄｒｅｄ２は、Δｄｒｅｄ１よりも大きい。いくつかの他の実施態様では、距離ｄＶｒｅｄ２は、距離ｄＶｒｅｄ１よりも大きくなり得る。干渉変調器によって反射される光の色がなお赤色であるが、しかし、また、異なる色相の赤色に調整され得るように、ｄＶｒｅｄ０とｄＶｒｅｄ２との間の距離における差は、ｄＶｒｅｄ０のある割合であり得る。たとえば、いくつかの実施態様では、ｄＶｒｅｄ０とｄＶｒｅｄ２との間の距離における差は、可動反射層１４が光学スタック１６により近い方向、または、可動反射層１４が光学スタック１６からより遠く離れる方向のいずれかで、ｄＶｒｅｄ０の約１％未満、約１％から２％の間、約２％から３％の間、約３％から４％の間、約４％から５％の間、約５％から６％の間、約６％から７％の間、約７％から８％の間、約８％から９％の間、約９％から１０％の間、約１０％に等しい、または１０％よりも大きくなり得る。
【００６５】
図９Ｄは、０ボルトの印加電圧（印加静電力）をもつ緑色干渉変調器の断面概略図の一例を示す。図９Ａの干渉変調器と同様に、図９Ｄの干渉変調器は、オン状態において、ゼロのバイアス電圧または印加静電力を有することができる。図９Ｄのポスト１８は、図９Ａに示す赤色干渉変調器と比較して、より低い高さを有することができる。このことは、光の反射色が緑色であるように、ｄＶｒｅｄ０未満であり得る、可動反射層１４と光学スタック１６との間の距離ｄＶｇｒｅｅｎ０を生じる。
【００６６】
図９Ｅおよび図９Ｆは、それぞれＶｇｒｅｅｎ１およびＶｇｒｅｅｎ２のバイアス電圧をもつ緑色干渉変調器の断面概略図の例を示す。図９Ｂと同様に、図９Ｅは、オン状態において、非ゼロのバイアス電圧または印加静電力をもつ緑色干渉変調器を示す。可動反射層１４と光学スタック１６との間の距離がｄＶｇｒｅｅｎ１に調節されるように、干渉計変調器を作動させるためのバイアス電圧がＶｇｒｅｅｎ１に調節され得る。図９Ｅでは、距離ｄＶｇｒｅｅｎ１は、距離ｄＶｇｒｅｅｎ０未満であり得る。他の実施態様では、距離ｄＶｇｒｅｅｎ１は、距離ｄＶｇｒｅｅｎ０よりも大きくなり得る。緑色干渉変調器は、図９Ｆに示すようにさらに調整され得る。この例では、可動反射層１４と光学スタック１６との間の距離がｄＶｇｒｅｅｎ２に調節され得るように、バイアス電圧がＶｇｒｅｅｎ２に調節される。距離ｄＶｇｒｅｅｎ２は、距離ｄＶｇｒｅｅｎ未満（図９Ｆに示すように）、またはそれよりも大きくなり得る。
【００６７】
図９Ｂおよび図９Ｃと同様に、図９Ｅおよび図９Ｆに示す緑色干渉変調器は、オン状態において非ゼロバイアス電圧、たとえば、干渉変調器をオン状態において保持する正（または、当業者が容易に認識するように、負）の電圧を有することができる。オン状態における非ゼロバイアス電圧は、ｄＶｇｒｅｅｎ０とｄＶｇｒｅｅｎ１との間の差である距離Δｄｇｒｅｅｎ１、または、ｄＶｇｒｅｅｎ０とｄＶｇｒｅｅｎ２との間の差であるΔｄｇｒｅｅｎ２を生じることができる。印加電界は、印加静電界または静電力なしに完全に緩和され、または開いていることに比較して、可動層１４において静電的に引き起こされる変位またはシフトΔｄＶｇｒｅｅｎ１またはΔｄｇｒｅｅｎ２をそれぞれ確立する。干渉変調器によって反射される光の色がなお緑色であるが、しかし、また、異なる色相の緑色に調整され得るように、距離における差Δｄｇｒｅｅｎ１またはΔｄｇｒｅｅｎ２は、可動反射層１４が光学スタック１６により近い方向、または、可動反射層１４が光学スタック１６からより遠く離れる方向のいずれかで、ｄＶｇｒｅｅｎ２の約１％未満、約１％から２％の間、約２％から３％の間、約３％から４％の間、約４％から５％の間、約５％から６％の間、約６％から７％の間、約７％から８％の間、約８％から９％の間、約９％から１０％の間、約１０％に等しい、または１０％よりも大きくなり得る。
【００６８】
図９Ｇは、０ボルトの印加電圧（印加静電力）をもつ青色干渉変調器の断面図の一例を示す。青色変調器から反射される光の色は、青色である。図９Ａおよび図９Ｄと同様に、図９Ｇは、オン状態において、０ボルトのバイアス電圧または印加静電力を有する。図９Ｇのポスト１８は、図９Ａおよび図９Ｄにそれぞれ示す赤色干渉変調器および緑色干渉変調器と比較して、より低い高さを有することができる。より低い高さを有して、可動反射層１４と光学スタック１６との間の距離ｄＶｂｌｕｅ０は、赤色干渉変調器のｄＶｒｅｄ０未満および緑色干渉変調器のｄＶｇｒｅｅｎ０未満であり得る。
【００６９】
図９Ｈおよび図９Ｉは、それぞれＶｂｌｕｅ１およびＶｂｌｕｅ２のバイアス電圧をもつ青色干渉変調器の断面概略図の例を示す。図９Ｂ、図９Ｃ、図９Ｅ、および図９Ｆと同様に、図９Ｈおよび図９Ｉは、オン状態において、非ゼロバイアス電圧（または、印加静電力）、たとえば、干渉変調器をオン状態において保持する正または負の電圧をもつ、青色干渉変調器をそれぞれ示す。可動反射層１４と光学スタック１６との間の距離が、距離ｄＶｂｌｕｅ０未満またはそれよりも大きくなり得る距離ｄＶｂｌｕｅ１またはｄＶｂｌｕｅ２に調節され得るように、干渉変調器を作動させるためのバイアス電圧は、Ｖｂｌｕｅ１またはＶｂｌｕｅ２に調節され得る。印加電界は、印加静電界または静電力なしに完全に緩和され、または開いていることに比較して、可動層１４において静電的に引き起こされる変位またはシフトΔｄＶｂｌｕｅ１またはΔｄＶｂｌｕｅ２をそれぞれ確立する。干渉変調器によって反射される光の色がなお青色であるが、しかし、また、異なる色相の青色に調整され得るように、ｄＶｂｌｕｅ０とｄＶｂｌｕｅ１1との間の距離における差（Δｄｂｌｕｅ１）、またはｄＶｂｌｕｅ０とｄＶｂｌｕｅ２との間の距離における差（Δｄｂｌｕｅ２）は、可動反射層１４が光学スタック１６により近い方向、または、可動反射層１４が光学スタック１６からより遠く離れる方向のいずれかで、ｄVblue0の約１％未満、約１％から２％の間、約２％から３％の間、約３％から４％の間、約４％から５％の間、約５％から６％の間、約６％から７％の間、約７％から８％の間、約８％から９％の間、約９％から１０％の間、約１０％に等しい、または１０％よりも大きくなり得る。図９Ａから図９Ｃ、図９Ｄから図９Ｆ、および図９Ｇから図９Ｉは、赤色光、緑色光、および青色光をそれぞれ出力するように構成されたディスプレイ要素を概略的に示すが、これは、例示的であり、限定的でないように意図される。他の実施態様では、ディスプレイ要素は、赤色、緑色、および青色とは異なる色（たとえば、シアン色、マゼンタ色、および黄色）の光を出力するように構成され得る。さらに他の実施態様では、ディスプレイデバイスは、４（つ以上の）色（たとえば、赤色、緑色、青色、および白色）を出力するように構成された４つ（以上）のディスプレイ要素を含み得る。
【００７０】
いくつかの実施態様は、白色点を制御するように構成されたディスプレイデバイスを提供することができる。ディスプレイデバイスは、ディスプレイ要素のセットを含み得る。いくつかの実施態様では、ディスプレイ要素は、赤色光を出力するように構成された少なくとも１つのディスプレイ要素と、緑色光を出力するように構成された少なくとも１つのディスプレイ要素と、青色光を出力するように構成された少なくとも１つのディスプレイ要素とを含み得る。他の実施態様では、ディスプレイ要素は、赤色、緑色、および青色とは異なる色（たとえば、シアン色、マゼンタ色、および黄色）の光を出力することができる。他の実施態様では、ディスプレイ要素のセットは、４（つ以上の）色の光を出力することができ、場合によっては、３色を出力するディスプレイ要素のセットを使用して一般に利用可能であり得るよりも大きい色域および／またはより高い輝度を与えることができる。たとえば、いくつかの実施態様では、ディスプレイ要素のセットは、赤色光、緑色光、青色光、および白色光、または、赤色光、緑色光、青色光、シアン色光、マゼンタ色光、および黄色光を出力するように構成され得る。
【００７１】
各ディスプレイ要素は、干渉変調器を含み得る。図１は、２つの隣接する干渉変調器１２を示す。左側の干渉変調器１２は、上記で説明したようにオン状態を有し、オン状態において、ディスプレイ要素が、可視範囲における共振波長を有する入射光を反射するように、可動反射層１４（すなわち、反射面）が、光学スタック１６（すなわち、部分反射面）からある距離をおいて配置される。いくつかの実施態様では、上記で説明したように、干渉変調器の反射面１４と部分反射面１６との間の距離は、バイアス電圧Ｖｂｉａｓに少なくとも部分的に依存し得る。図１、図９Ａ、図９Ｄ、および図９Ｇに示すように、いくつかの実施態様は、赤色、緑色、および青色ディスプレイ要素のためのバイアス電圧がオン状態においてゼロである、ディスプレイ要素を含む。
【００７２】
いくつかの他の実施態様では、ディスプレイ要素は、オン状態において非ゼロである赤色、緑色、および青色ディスプレイ要素のためのバイアス電圧を有し得る。図９Ｂ、図９Ｃ、図９Ｅ、図９Ｆ、図９Ｈ、および図９Ｉにおけるものなどである。ディスプレイ要素のオン状態のための非ゼロバイアス電圧を有することによって、干渉変調器によって反射される光の色、たとえば、赤色、緑色、および青色が制御および調節され得る。同様に、赤色、緑色、および青色ディスプレイ要素のためのオン状態のための非ゼロバイアス電圧を有することによって、ディスプレイデバイスの白色点が制御、調節、および／または調整され得る。したがって、いくつかの実施態様では、赤色、緑色、および青色ディスプレイ要素のためのバイアス電圧は、オン状態において白色点を制御するために調節可能であり得る。いくつかの実施態様では、白色点は、標準化された白色点、たとえば、Ｄ５５、Ｄ６５、またはＤ７５であり得る。バイアス電圧を調節するために、ディスプレイデバイスの様々な実施態様は、異なるディスプレイ要素を駆動するように構成された電子回路を含み得る。電子回路は、非ゼロバイアス電圧を供給するために、ディスプレイ要素に電気的に接続され得る。本明細書で説明するいくつかの実施態様では、電子回路は、ドライバコントローラとアレイドライバとを含み得る。
【００７３】
ディスプレイデバイスのいくつかの実施態様に関連付けられるものは、色温度とバイアス電圧とを相関させるルックアップテーブル（ＬＵＴ）またはデータベースであり得る。このデータベースは、たとえば、最初にディスプレイを特性化することによって生成され得る。図１０は、異なるバイアス電圧が干渉変調器のオン状態において使用されるとき、干渉変調器ディスプレイによって出力される色の例示的な特性化を示す。オン状態またはオフ状態のいずれかにおいて、２つの原色（たとえば、赤色および緑色）のために一定のバイアス電圧を保持しながら、第３の原色（たとえば、青色）の電圧が変動され得る。この例では、８つの色パッチ、たとえば、赤色、緑色、青色、シアン色、マゼンタ色、黄色、黒色、および白色に関連付けられた合成色が測定され得る。７つの構成ピクセル成分のための各電圧ステップに関連付けられた色、たとえば、赤色オン状態、赤色オフ状態、緑色オン状態、緑色オフ状態、青色オン状態、青色オフ状態、およびブラックマスクが計算され得る。
【００７４】
ピクセル構成成分のこれらの色値を使用して、様々な電圧のための赤色、緑色、および青色のオン状態およびオフ状態に関連付けられた、色、たとえば、ＣＩＥ  ＸＹＺ色度図のｕ’およびｖ’色度座標が決定され得る。多種多様な電圧について色度図上にプロットされた、決定された赤色１１０、緑色１２０、および青色１３０の一例を、図１０で見ることができる。赤色、緑色、および青色のオン状態およびオフ状態の色度座標を使用することによって可能な白色点色度座標が、次いで計算され得る。たとえば、赤色１１０からの色度座標と、緑色１２０からの色度座標と、青色１３０からの色度座標とを使用して、これらの色の組合せによって生成される光の白色点色度座標を計算することができる。詳細には、いくつかの実施態様では、白色は、赤色、緑色、および青色ピクセルの各々がオン状態であるときに形成され得るので、白色点色度座標は、赤色、緑色、および青色の色度座標の加重和として計算され得る。いくつかの実施態様では、追加の色度座標が補間され得る。計算される可能な白色点色度座標１５０のいくつかの例を、図１０に示す。いくつかの実施態様では、計算される可能な白色点１５０、およびこれらの白色点を生成した電圧が、データベースに含まれ得る。そのような実施態様では、赤色、緑色、および青色ディスプレイ要素のための対応する電圧が、所望の白色点について決定され得る。以下でさらに説明するように、いくつかの他の実施態様では、計算される可能な白色点１５０が、異なる温度における黒体放射体の白色点と比較され得る。
【００７５】
図１１は、図１０に示す白色点の拡大図を示す。たとえば、白色点１５０は、いくつかの例示的な計算される可能な白色点である。図１１はまた、異なる色温度における黒体放射体の白色点（黒い四角１６０）をも示す。ディスプレイが生成可能である色温度、たとえば、４，５００Ｋ〜６，９００Ｋが決定され得る。異なる温度における黒体放射体の白色点（四角１６０）に最も近い、以前に計算された可能な白色点色度座標１５０からの白色点が、選択され得る。これらの白色点を、図１１において白いひし形１７０として示す。
【００７６】
これらの白色点を生成する電圧が、データベースに含まれ得る。たとえば、色温度を、特定の色温度に最も近い白色点を生成した電圧設定と相関させる、データベースが作成され得る。これらの電圧は、いくつかの実施態様のための可能なバイアス電圧である。例示的なデータベースを表１に示す。
【表１】
2014512567.tif 000003
【００７７】
ディスプレイデバイスのいくつかの実施態様の色温度は、表１に示す例示的なデータベースと同様のデータベースからの情報を使用して、設定または調節され得る。たとえば、ディスプレイデバイスのための白色点のための特定の色温度が（たとえば、製造業者またはユーザによって）選択された後、色温度をディスプレイデバイスの赤色、緑色、および青色ディスプレイ要素の各々のためのバイアス電圧と相関させる情報を記憶するデータベースを使用して、選択された色温度に対応する、赤色、緑色、および青色ディスプレイ要素の各々のためのバイアス電圧を決定することができる。ディスプレイデバイスは、次いで、決定されたバイアス電圧に設定され得る。白色点が製造段階において選択される実施態様では、大多数のユーザによって好まれる色温度が決定され得、各ディスプレイデバイスが、決定された値に設定され得る。さらに後述するようないくつかの実施態様では、ユーザは、入力デバイスを用いて色温度を選択することができ、ディスプレイデバイスは、選択された値に設定され得る。
【００７８】
本明細書で説明するいくつかの実施態様では、赤色、緑色、および青色ディスプレイ要素のためのバイアス電圧は、オン状態において非ゼロであり得る。バイアス電圧のうちの１つ、いくつか、またはすべては、ディスプレイデバイスの白色点を制御するために調節可能であり得る。他の実施態様では、ディスプレイ要素のためのバイアス電圧のうちの少なくとも１つが、オン状態において非ゼロであり、ディスプレイデバイスの白色点を制御するために調節可能であり得る。１つの可能な例として、赤色ディスプレイ要素のバイアス電圧が、オン状態において非ゼロであり、ディスプレイデバイスの白色点を制御するために調節され得る。緑色および青色ディスプレイ要素のバイアス電圧は、ゼロであり得る。いくつかの他の実施態様では、ディスプレイ要素のためのバイアス電圧のうちの少なくとも２つが、オン状態において非ゼロであり、ディスプレイデバイスの白色点を制御するために調節可能であり得る。１つの可能な例として、赤色ディスプレイ要素および緑色ディスプレイ要素のバイアス電圧が、オン状態において非ゼロであり得、赤色および緑色ディスプレイ要素のためのバイアス電圧の一方または両方が、ディスプレイデバイスの白色点を制御するために調節され得る。青色ディスプレイ要素のバイアス電圧は、ゼロであり得る。加えて、本明細書で説明する白色点は、色温度を用いて指定されるが、他の実施態様は、他の方法で、たとえば、色度座標、ＣＩＥ  ＸＹＺ値、ＣＩＥ  Ｌ＊ａ＊ｂ＊値、または、他の色空間座標を用いて、白色点を指定することができる。
【００７９】
ソフトウェアで実施した場合、データベース、または、データベースから情報を生成するための機能は、１つまたは複数のデータ構造、命令、および／またはコードとしてコンピュータ可読媒体上に記憶され得るか、あるいはコンピュータ可読媒体を介して送信され得る。本明細書で開示する方法またはアルゴリズムのステップは、コンピュータ可読媒体上に常駐し得る、プロセッサ実行可能ソフトウェアモジュールで実施され得る。コンピュータ可読媒体は、ある場所から別の場所にコンピュータプログラムを転送することを可能にされ得る任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形態で所望のプログラムコードを記憶するために使用され得、コンピュータによってアクセスされ得る、任意の他の媒体を含み得る。また、いかなる接続もコンピュータ可読媒体と適切に呼ばれ得る。本明細書で使用するディスク（disk）およびディスク（disc）は、コンパクトディスク（ＣＤ）、レーザディスク（登録商標）、光ディスク、デジタル多用途ディスク（ＤＶＤ）、フロッピー（登録商標）ディスクおよびブルーレイ（登録商標）ディスクを含み、ディスク（disk）は、通常、データを磁気的に再生し、ディスク（disc）は、データをレーザで光学的に再生する。上記の組合せもコンピュータ可読媒体の範囲内に含めるべきである。さらに、方法またはアルゴリズムの動作は、コンピュータプログラム製品に組み込まれ得る、機械可読媒体およびコンピュータ可読媒体上のコードおよび命令の、１つまたは任意の組合せまたはセットとして存在し得る。
【００８０】
ディスプレイデバイスのいくつかの実施態様は、ディスプレイデバイスのためのバイアス電圧が設定された後、バイアス電圧を調節するように構成され得る。たとえば、ディスプレイデバイスのためのバイアス電圧が設定された後、ユーザは、白色点を自分の好みに調節または調整することができる。以下で説明するように、プロセッサは、異なる白色点および／または色温度に対応する、ディスプレイデバイスのためのバイアス電圧を確定するために、データベースにアクセスすることができる。データベースは、異なる環境、および異なるユーザについて、繰り返し使用され得る。たとえば、ディスプレイデバイスは、Ｄ６５光において使用されるとき、Ｄ７５光を出力するように構成され得る。別の例として、ディスプレイデバイスは、白熱灯または蛍光灯によって照明された室内で使用されるとき、Ｄ７５光を出力するように構成され得る。代替的に、ディスプレイデバイスは、白熱灯または蛍光灯によって照明された室内で使用されるとき、Ｄ６５光を出力するように構成され得る。
【００８１】
本明細書で説明するように、いくつかの実施態様のディスプレイデバイスは、プロセッサ（たとえば、プロセッサ２１）を含み得る。このプロセッサは、色温度とバイアス電圧との間の相関に基づいて、バイアス電圧を確定するために、データベースにアクセスすることができる。プロセッサは、ドライバコントローラとアレイドライバとを介して、バイアス電圧を調節するために、ディスプレイ要素と通信するように構成され得る。いくつかの実施態様を、双安定ディスプレイ要素、たとえば、双安定干渉変調器とともに説明したが、他の実施態様は、多状態ディスプレイ要素、たとえば、３状態干渉変調器、または、アナログディスプレイ要素、たとえば、アナログ干渉変調器を含み得る。
【００８２】
いくつかの他の実施態様では、ディスプレイデバイスは、色温度とバイアス電圧とを相関させる、データベースの代わりに、公式を使用して設定または調節され得る。いくつかの実施態様では、公式は、それぞれ赤色、緑色、青色ディスプレイ要素のための赤色、緑色、および青色電圧間の関数を含み得る。ディスプレイデバイスはまた、バイアス電圧を確定するために公式を使用する、プロセッサをも含み得る。上記で説明したデータベースの使用と同様に、公式はまた、異なる環境および異なるユーザについて繰り返し使用され得る。
【００８３】
ディスプレイデバイスのいくつかの実施態様は、それを用いてユーザがディスプレイの白色点を調節することができるユーザインターフェースをさらに含む。ユーザインターフェースは、図１４Ｂを参照して以下で説明する入力デバイス４８に類似した様々な形態、たとえば、ノブ、キーパッド、ボタン、スイッチ、ロッカー、タッチセンシティブスクリーン、または感圧膜もしくは感熱膜であってもよい。いくつかのそのような実施態様では、ユーザは、ユーザインターフェースを操作して、赤色、緑色、および青色ディスプレイ要素のためのバイアス電圧を調節することによって、白色点を調節または調整することができる。たとえば、いくつかの実施態様では、ユーザは、異なる所望の白色点または色温度を、たとえば、キーパッド上で入力することができる。いくつかの他の実施態様では、ユーザは、実際の白色点または色温度を知らずに、好んで白色点を変更することができる。たとえば、ユーザインターフェースは、たとえば、「上」キーまたは「下」キーのいずれかを押して、白色点が増加または減少されるべきであることを示すことができる。
【００８４】
いくつかの実施態様では、ユーザインターフェースは、上記で説明したようにデータベースまたは公式にアクセスするプロセッサに接続され得る。上記で説明したように、赤色、緑色、および青色ディスプレイ要素のためのバイアス電圧は、次いで、たとえば、色温度、色度座標、ＣＩＥ  ＸＹＺ値、ＣＩＥ  Ｌ＊ａ＊ｂ＊値、または他の色空間座標で指定された、ユーザが入力した白色点に対応するバイアス電圧に調節され得る。バイアス電圧を調節することによって、反射面と部分反射面との間の距離が調節され得る。距離が調節され得るので、ディスプレイの白色点は、少なくとも１つの共振波長を調整することによって、調節され得る。いくつかの実施態様では、白色点が静的状態において調節されている間に、ディスプレイの画像は、静的状態（たとえば、定常または静止画像）において保持され得る。たとえば、ユーザは、ユーザインターフェースを使用してディスプレイの白色点を調節しながら、ディスプレイ上に表示された本のページを読むことができる。いくつかの実施態様では、調節された白色点は、標準化された白色点、たとえば、Ｄ５５、Ｄ６５、またはＤ７５であり得る。いくつかの実施態様では、白色点は、非静的状態において（たとえば、ディスプレイが、動いている画像、スライドショー、またはビデオを表示中であるとき）、調節され得る。いくつかの他の実施態様では、静的状態において（たとえば、ディスプレイが定常または静止画像を表示中であるとき）白色点を調節することは、より大きい範囲の利用可能な電圧を可能にする。
【００８５】
いくつかの実施態様では、ユーザは、ユーザインターフェースを操作して、赤色、緑色、および青色ディスプレイ要素のためのバイアス電圧間の固定の関係を使用することによって、白色点を調節することができる。たとえば、赤色ディスプレイ要素のためのバイアス電圧が１ボルト上がるごとに、青色ディスプレイ要素のためのバイアス電圧は、約０．５ボルト下がり、緑色ディスプレイ要素のためのバイアス電圧は、約０．２５ボルト上がる。いくつかの実施態様では、ディスプレイ要素間の固定の関係は、ディスプレイデバイスごとにデータベースまたはＬＵＴから導出され得る。いくつかの実施態様では、ユーザは、本明細書で説明するユーザインターフェース上の単一のノブ、または他のユーザインターフェースコントロールを調節することによって、ディスプレイの白色点を調節することができる。いくつかの実施態様では、ユーザが特定の白色点、たとえば、Ｄ５５、Ｄ６５、またはＤ７５を選択できるようにするために、ノブは、個別の回転で回転することができる。いくつかの他の実施態様では、中間の白色点、たとえば、Ｄ６５とＤ７５との中間における白色点を可能にするために、ノブは、連続的に回転することができる。
【００８６】
いくつかの他の実施態様では、ユーザは、キーパッド上のあるボタンを押すことによって、ディスプレイの白色点を調節することができる。たとえば、キーパッド上の数字キーなど、特定のセットのキーが、赤色、緑色、および青色ディスプレイ要素のためのバイアス電圧間の異なる固定の関係に関連付けられた異なる白色点に関連付けられ得る。「１」キーは、低い色温度、たとえば、４，５００Ｋに関連付けられた白色点を表すことができるが、「９」キーは、高い色温度、たとえば、６，９００Ｋに関連付けられた白色点を表すことができる。別の例として、「上」キーおよび「下」キー（または、他のキー、ボタンなど）が、赤色、緑色、および青色ディスプレイ要素のためのバイアス電圧間の異なる固定の関係に関連付けられた白色点を増加または減少させるために使用され得る。たとえば、ディスプレイの白色点が、５，５００Ｋの色温度に関連付けられた白色点において設定される場合、「上」キーを押下することは、ディスプレイの白色点を比較的より高い色温度、たとえば、５，６００Ｋに関連付けられた白色点に変更することができる。「上」キーをもう一度押下すると、ディスプレイの白色点をさらに高い相対色温度、たとえば、５，７００Ｋに関連付けられた白色点に変更することができる。「下」キーを押下すると、ディスプレイの白色点を比較的より低い色温度、たとえば、５，６００Ｋに関連付けられた白色点に戻すように変更することができる。タッチパッド、マウスなど、他のデバイスが使用されてもよい。いくつかの実施態様では、ユーザは、指またはスタイラスで、たとえば、アイコン、画像、シンボル、英数字テキスト、ソフトキー、または、タッチスクリーン上に表示されたグラフィカルユーザインターフェース（ＧＵＩ）内のその一部分をタッピングすることによって、ディスプレイの白色点を調節することができる。音声作動制御もまた、いくつかの実施態様において使用され得る。
【００８７】
図１２は、ディスプレイデバイスの白色点を設定するための例示的な方法を示す。方法５００は、本明細書で説明するディスプレイのいくつかの実施態様に適合し得る。ブロック５１０に示すように、方法５００は、ディスプレイ要素のセットを提供することを含み得る。各ディスプレイ要素は、ディスプレイ要素が、共振波長を有する入射光を反射するように、ディスプレイ要素の反射面がディスプレイ要素の部分反射面からある距離をおいて配置される、オン状態を有してもよい。各距離は、オン状態における非ゼロバイアス電圧に依存し得る。いくつかの実施態様の方法５００は、ブロック５２０に示すように、ディスプレイのための白色点を選択することをさらに含み得る。代替的に、ディスプレイのユーザは、ユーザの好みに基づいて、白色点を選択することができる。ユーザが白色点を選択できるようにするための様々な機構について、上記で説明した。ユーザの選択は、もしあれば、以前に選択された白色点に優先することができる。いくつかの実施態様では、方法５００は、ブロック５３０に示すように、選択された白色点に対応する、ディスプレイ要素のためのバイアス電圧を決定することをさらに含む。ブロック５４０に示すように、方法５００は、ディスプレイ要素のためのバイアス電圧を、ディスプレイ要素のための決定されたバイアス電圧に設定することをさらに含み得る。
【００８８】
いくつかの実施態様では、ディスプレイ要素は、赤色光を出力するように構成された少なくとも１つの干渉変調器と、緑色光を出力するように構成された少なくとも１つの干渉変調器と、青色光を出力するように構成された少なくとも１つの干渉変調器とを含み得る。いくつかの実施態様では、白色光は、標準化された白色点によって特性化され得る。いくつかの実施態様では、ディスプレイ要素は、双安定干渉変調器であり得る。他の実施態様では、ディスプレイ要素は、多状態干渉変調器、たとえば、３状態干渉変調器であり得る。さらに他の実施態様では、ディスプレイ要素は、アナログ干渉変調器であり得る。
【００８９】
いくつかの実施態様では、ブロック５３０に示すようにバイアス電圧を決定することは、ディスプレイの白色点をディスプレイ要素のためのバイアス電圧と相関させるデータベースにアクセスすることと、データベースを使用して、ディスプレイ要素のための対応するバイアス電圧を決定することとを含み得る。
【００９０】
いくつかの他の実施態様では、ブロック５３０に示すようにバイアス電圧を決定することは、ディスプレイの白色点をディスプレイ要素のためのバイアス電圧と相関させる公式にアクセスすることと、公式を使用して、ディスプレイ要素のための対応するバイアス電圧を決定することとを含み得る。いくつかの実施態様では、公式は、赤色、緑色、および青色電圧間の関係を含み得る。たとえば、１つのディスプレイ要素について１ボルト増すごとに、他の２つのディスプレイ要素のための電圧が決定され得る（たとえば、赤色ディスプレイ要素のためのバイアス電圧が１ボルト増すごとに、青色ディスプレイ要素のためのバイアス電圧は、約０．５ボルト減り、緑色ディスプレイ要素のためのバイアス電圧は、約０．２５ボルト増す）。
【００９１】
方法５００のいくつかの実施態様は、ディスプレイ要素のためのバイアス電圧を調節することによって、ディスプレイデバイスの白色点を調節することをさらに含み得る。白色点を調節することは、ディスプレイ要素のためのバイアス電圧間の固定の関係を使用することを含み得る。いくつかの実施態様における白色点を調節することはまた、少なくとも１つのディスプレイ要素を調節することによって、少なくとも１つの共振波長を調整することをも含み得る。少なくとも１つのディスプレイ要素を調節することは、ディスプレイ要素の反射面と部分反射面との間の距離を調節することを含み得る。いくつかの実施態様は、ディスプレイ要素のためのバイアス電圧を調節することによって、白色点を調節しながら、画像を静的状態（たとえば、定常または静止画像）において保持することを含み得る。方法５００のいくつかの実施態様では、白色点は、標準化された白色点に調節され得る。
【００９２】
図１３は、ディスプレイデバイスの白色点を設定するための別の例示的な方法を示す。方法６００は、ブロック６１０に示すように、ディスプレイデバイスのための白色点を選択することを含み得る。ディスプレイデバイスは、第１、第２、および第３のディスプレイ要素を有してもよい。各ディスプレイ要素は、ディスプレイ要素が入射光を反射するように、ディスプレイ要素の反射面がディスプレイ要素の部分反射面からある距離をおいて配置される、オン状態を有してもよい。各距離は、バイアス電圧に依存し得る。バイアス電圧のうちの少なくとも１つが、オン状態において非ゼロであり、ディスプレイデバイスの白色点を制御するために調節可能であり得る。いくつかの実施態様の方法６００は、ブロック６２０に示すように、第１、第２、および第３のディスプレイ要素に電気的に接続された電子回路を使用して、少なくとも１つの非ゼロバイアス電圧を設定することをさらに含み得る。
【００９３】
いくつかの実施態様では、ブロック６２０に示すように電子回路を使用することは、白色点をバイアス電圧と相関させるデータベースにアクセスすることと、データベースを使用して、第１、第２、および第３のディスプレイ要素のための対応するバイアス電圧を決定することとを含み得る。いくつかの他の実施態様では、ブロック６２０に示すように電子回路を使用することは、白色点をバイアス電圧と相関させる公式にアクセスすることと、公式を使用して、第１、第２、および第３のディスプレイ要素のための対応するバイアス電圧を決定することとを含み得る。方法６００は、所望の白色点を選択しながら、画像を静的状態において保持することをさらに含み得る。いくつかの実施態様では、第１、第２、およびディスプレイ要素は、赤色、緑色、および青色干渉変調器を含み得る。
【００９４】
図１４Ａおよび図１４Ｂは、複数の干渉変調器を含むディスプレイデバイス４０を示すシステムブロック図の例を示している。ディスプレイデバイス４０は、たとえば、セルラー電話または携帯電話であり得る。ただし、ディスプレイデバイス４０の同じ構成要素またはディスプレイデバイス４０の軽微な変形も、テレビジョン、電子リーダーおよびポータブルメディアプレーヤなど、様々なタイプのディスプレイデバイスを示す。
【００９５】
ディスプレイデバイス４０は、ハウジング４１と、ディスプレイ３０と、アンテナ４３と、スピーカー４５と、入力デバイス４８と、マイクロフォン４６とを含む。ハウジング４１は、射出成形および真空成形を含む様々な製造プロセスのうちのいずれかから形成され得る。さらに、ハウジング４１は、限定はしないが、プラスチック、金属、ガラス、ゴム、およびセラミック、またはそれらの組合せを含む、様々な材料のうちのいずれかから製作され得る。ハウジング４１は、異なる色の、または異なるロゴ、ピクチャ、もしくはシンボルを含んでいる、他の取外し可能な部分と交換され得る、取外し可能な部分（図示せず）を含むことができる。
【００９６】
ディスプレイ３０は、本明細書で説明する、双安定またはアナログディスプレイを含む様々なディスプレイのうちのいずれかであり得る。ディスプレイ３０はまた、プラズマ、ＥＬ、ＯＬＥＤ、ＳＴＮ  ＬＣＤ、またはＴＦＴ  ＬＣＤなど、フラットパネルディスプレイ、あるいはＣＲＴまたは他の管デバイスなど、非フラットパネルディスプレイを含むように構成され得る。さらに、ディスプレイ３０は、本明細書で説明する干渉変調器ディスプレイを含むことができる。
【００９７】
ディスプレイデバイス４０の構成要素は図１４Ｂに概略的に示されている。ディスプレイデバイス４０は、ハウジング４１を含み、それの中に少なくとも部分的に密閉された追加の構成要素を含むことができる。たとえば、ディスプレイデバイス４０は、トランシーバ４７に結合されたアンテナ４３を含むネットワークインターフェース２７を含む。トランシーバ４７はプロセッサ２１に接続され、プロセッサ２１は調整ハードウェア５２に接続される。調整ハードウェア５２は、信号を調整する（たとえば、信号をフィルタ処理する）ように構成され得る。調整ハードウェア５２は、スピーカー４５およびマイクロフォン４６に接続される。プロセッサ２１は、入力デバイス４８およびドライバコントローラ２９にも接続される。ドライバコントローラ２９は、フレームバッファ２８に、およびアレイドライバ２２に結合され、アレイドライバ２２は次にディスプレイアレイ３０に結合される。電源５０が、特定のディスプレイデバイス４０設計によって必要とされるすべての構成要素に電力を与えることができる。
【００９８】
ネットワークインターフェース２７は、ディスプレイデバイス４０がネットワークを介して１つまたは複数のデバイスと通信することができるように、アンテナ４３とトランシーバ４７とを含む。ネットワークインターフェース２７はまた、たとえば、プロセッサ２１のデータ処理要件を軽減するための、何らかの処理能力を有し得る。アンテナ４３は信号を送信および受信することができる。いくつかの実施態様では、アンテナ４３は、ＩＥＥＥ１６．１１（ａ）、（ｂ）、または（ｇ）を含むＩＥＥＥ１６．１１規格、あるいはＩＥＥＥ８０２．１１ａ、ｂ、ｇまたはｎを含むＩＥＥＥ８０２．１１規格に従って、ＲＦ信号を送信および受信する。いくつかの他の実施態様では、アンテナ４３は、ＢＬＵＥＴＯＯＴＨ（登録商標）規格に従ってＲＦ信号を送信および受信する。セルラー電話の場合、アンテナ４３は、３Ｇまたは４Ｇ技術を利用するシステムなどのワイヤレスネットワーク内で通信するために使用される、符号分割多元接続（ＣＤＭＡ）、周波数分割多元接続（ＦＤＭＡ）、時分割多元接続（ＴＤＭＡ）、モバイル通信のためのグローバルシステム（ＧＳＭ（登録商標）：Ｇｌｏｂａｌ  Ｓｙｓｔｅｍ  ｆｏｒ  Ｍｏｂｉｌｅ  ｃｏｍｍｕｎｉｃａｔｉｏｎｓ）、ＧＳＭ／ジェネラル・パケット・ラジオ・サービス（ＧＰＲＳ：ＧＳＭ／Ｇｅｎｅｒａｌ  Ｐａｃｋｅｔ  Ｒａｄｉｏ  Ｓｅｒｖｉｃｅ）、エンハンスド・データ・ＧＳＭ環境（ＥＤＧＥ：Ｅｎｈａｎｃｅｄ  Ｄａｔａ  ＧＳＭ  Ｅｎｖｉｒｏｎｍｅｎｔ）、テレスティアル・トランクド・ラジオ（ＴＥＴＲＡ：Ｔｅｒｒｅｓｔｒｉａｌ  Ｔｒｕｎｋｅｄ  Ｒａｄｉｏ）、広帯域ＣＤＭＡ（Ｗ−ＣＤＭＡ（登録商標））、エボリューション・データ・オプティマイズド（ＥＶ−ＤＯ：Ｅｖｏｌｕｔｉｏｎ  Ｄａｔａ  Ｏｐｔｉｍｉｚｅｄ）、１ｘＥＶ−ＤＯ、ＥＶ−ＤＯ  Ｒｅｖ  Ａ、ＥＶ−ＤＯ  Ｒｅｖ  Ｂ、高速パケットアクセス（ＨＳＰＡ）、高速ダウンリンクパケットアクセス（ＨＳＤＰＡ）、高速アップリンクパケットアクセス（ＨＳＵＰＡ）、発展型高速パケットアクセス（ＨＳＰＡ＋）、ロング・ターム・エボリューション（ＬＴＥ：Ｌｏｎｇ  Ｔｅｒｍ  Ｅｖｏｌｕｔｉｏｎ）、ＡＭＰＳ、または他の知られている信号を受信するように設計される。トランシーバ４７は、アンテナ４３から受信された信号がプロセッサ２１によって受信され、プロセッサ２１によってさらに操作され得るように、その信号を前処理することができる。トランシーバ４７はまた、プロセッサ２１から受信された信号がアンテナ４３を介してディスプレイデバイス４０から送信され得るように、その信号を処理することができる。
【００９９】
いくつかの実施態様では、トランシーバ４７は受信機によって置き換えられ得る。さらに、ネットワークインターフェース２７は、プロセッサ２１に送られるべき画像データを記憶または生成することができる画像ソースによって置き換えられ得る。プロセッサ２１は、ディスプレイデバイス４０の全体的な動作を制御することができる。プロセッサ２１は、ネットワークインターフェース２７または画像ソースから圧縮された画像データなどのデータを受信し、そのデータを生画像データに、または生画像データに容易に処理されるフォーマットに、処理する。プロセッサ２１は、処理されたデータをドライバコントローラ２９に、または記憶のためにフレームバッファ２８に送ることができる。生データは、一般に、画像内の各ロケーションにおける画像特性を識別する情報を指す。たとえば、そのような画像特性は、色、飽和、およびグレースケールレベルを含むことができる。いくつかの実施態様では、プロセッサ２１は、ディスプレイデバイスの白色点を変更または調節するために使用され得る。たとえば、プロセッサ２１は、データベース、ＬＵＴ、または公式を使用し、またはそれにアクセスして、ディスプレイデバイスの特定の白色点および／または色温度に対応する、ディスプレイデバイスのためのバイアス電圧を確定することができる。
【０１００】
プロセッサ２１は、ディスプレイデバイス４０の動作を制御するためのマイクロコントローラ、ＣＰＵ、または論理ユニットを含むことができる。調整ハードウェア５２は、スピーカー４５に信号を送信するための、およびマイクロフォン４６から信号を受信するための、増幅器およびフィルタを含み得る。調整ハードウェア５２は、ディスプレイデバイス４０内の個別構成要素であり得、あるいはプロセッサ２１または他の構成要素内に組み込まれ得る。
【０１０１】
ドライバコントローラ２９は、プロセッサ２１によって生成された生画像データをプロセッサ２１から直接、またはフレームバッファ２８から取ることができ、アレイドライバ２２への高速送信のために適宜に生画像データを再フォーマットすることができる。いくつかの実施態様では、ドライバコントローラ２９は、生画像データを、ラスタ様フォーマットを有するデータフローに再フォーマットすることができ、その結果、そのデータフローは、ディスプレイアレイ３０にわたって走査するのに好適な時間順序を有する。次いで、ドライバコントローラ２９は、フォーマットされた情報をアレイドライバ２２に送る。ＬＣＤコントローラなどのドライバコントローラ２９は、しばしば、スタンドアロン集積回路（ＩＣ）としてシステムプロセッサ２１に関連付けられるが、そのようなコントローラは多くの方法で実施され得る。たとえば、コントローラは、ハードウェアとしてプロセッサ２１中に埋め込まれるか、ソフトウェアとしてプロセッサ２１中に埋め込まれるか、またはハードウェアにおいてアレイドライバ２２と完全に一体化され得る。
【０１０２】
アレイドライバ２２は、ドライバコントローラ２９からフォーマットされた情報を受信することができ、ビデオデータを波形の並列セットに再フォーマットすることができ、波形の並列セットは、ディスプレイのピクセルのｘ−ｙ行列から来る、数百の、および時には数千の（またはより多くの）リード線に毎秒何回も適用される。
【０１０３】
いくつかの実施態様では、ドライバコントローラ２９、アレイドライバ２２、およびディスプレイアレイ３０は、本明細書で説明するディスプレイのタイプのうちのいずれにも適している。たとえば、ドライバコントローラ２９は、従来のディスプレイコントローラまたは双安定ディスプレイコントローラ（たとえば、ＩＭＯＤコントローラ）であり得る。さらに、アレイドライバ２２は、従来のドライバまたは双安定ディスプレイドライバ（たとえば、ＩＭＯＤディスプレイドライバ）であり得る。その上、ディスプレイアレイ３０は、従来のディスプレイアレイまたは双安定ディスプレイアレイ（たとえば、ＩＭＯＤのアレイを含むディスプレイ）であり得る。いくつかの実施態様では、ドライバコントローラ２９はアレイドライバ２２と一体化され得る。そのような実施態様は、セルラーフォン、ウォッチおよび他の小面積ディスプレイなどの高集積システムでは一般的である。
【０１０４】
いくつかの実施態様では、入力デバイス４８は、たとえば、ユーザがディスプレイデバイス４０の動作を制御することを可能にするように、構成され得る。入力デバイス４８は、ＱＷＥＲＴＹキーボードまたは電話キーパッドなどのキーパッド、ボタン、スイッチ、ロッカー、タッチセンシティブスクリーン、あるいは感圧膜または感熱膜を含むことができる。マイクロフォン４６は、ディスプレイデバイス４０のための入力デバイスとして構成され得る。いくつかの実施態様では、ディスプレイデバイス４０の動作を制御するために、マイクロフォン４６を介したボイスコマンドが使用され得る。
【０１０５】
電源５０は、当技術分野でよく知られている様々なエネルギー蓄積デバイスを含むことができる。たとえば、電源５０は、ニッケルカドミウムバッテリーまたはリチウムイオンバッテリーなどの充電式バッテリーであり得る。電源５０はまた、再生可能エネルギー源、キャパシタ、あるいはプラスチック太陽電池または太陽電池塗料を含む太陽電池であり得る。電源５０はまた、壁コンセントから電力を受け取るように構成され得る。
【０１０６】
いくつかの実施態様では、制御プログラマビリティがドライバコントローラ２９中に存在し、これは電子ディスプレイシステム中のいくつかの場所に配置され得る。いくつかの他の実施態様では、制御プログラマビリティがアレイドライバ２２中に存在する。上記で説明した最適化は、任意の数のハードウェアおよび／またはソフトウェア構成要素において、ならびに様々な構成において実施され得る。
【０１０７】
本明細書で開示する実施態様に関して説明した様々な例示的な論理、論理ブロック、モジュール、回路、およびアルゴリズムステップは、電子ハードウェア、コンピュータソフトウェア、または両方の組合せとして実施され得る。ハードウェアとソフトウェアの互換性が、概して機能に関して説明され、上記で説明した様々な例示的な構成要素、ブロック、モジュール、回路およびステップにおいて示された。そのような機能がハードウェアで実施されるか、ソフトウェアで実施されるかは、特定の適用例および全体的なシステムに課された設計制約に依存する。
【０１０８】
本明細書で開示する態様に関して説明した様々な例示的な論理、論理ブロック、モジュール、および回路を実施するために使用される、ハードウェアおよびデータ処理装置は、汎用シングルチップまたはマルチチッププロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実施または実行され得る。汎用プロセッサは、マイクロプロセッサ、あるいは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実施することもできる。いくつかの実施態様では、特定のステップおよび方法が、所与の機能に固有である回路によって実行され得る。
【０１０９】
１つまたは複数の態様では、説明した機能は、本明細書で開示する構造を含むハードウェア、デジタル電子回路、コンピュータソフトウェア、ファームウェア、およびそれらの上記構造の構造的等価物において、またはそれらの任意の組合せにおいて実施され得る。また、本明細書で説明した主題の実施態様は、１つまたは複数のコンピュータプログラムとして、すなわち、データ処理装置が実行するためにコンピュータ記憶媒体上に符号化された、またはデータ処理装置の動作を制御するための、コンピュータプログラム命令の１つまたは複数のモジュールとして、実施され得る。
【０１１０】
本開示で説明した実施態様への様々な修正は当業者には容易に明らかであり得、本明細書で定義した一般原理は、本開示の趣旨または範囲から逸脱することなく他の実施態様に適用され得る。したがって、特許請求の範囲は、本明細書で示した実施態様に限定されるものではなく、本開示と、本明細書で開示する原理および新規の特徴とに一致する、最も広い範囲を与られるべきである。さらに、「上側」および「下側」という用語は、図の説明を簡単にするために時々使用され、適切に配向されたページ上の図の配向に対応する相対位置を示すが、実施されたＩＭＯＤの適切な配向を反映しないことがあることを、当業者は容易に諒解されよう。
【０１１１】
また、別個の実施態様に関して本明細書で説明されたいくつかの特徴は、単一の実施態様において組合せで実施され得る。また、逆に、単一の実施態様に関して説明した様々な特徴は、複数の実施態様において別個に、あるいは任意の好適な部分組合せで実施され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１１２】
同様に、動作は特定の順序で図面に示されているが、これは、望ましい結果を達成するために、そのような動作が、示される特定の順序でまたは順番に実行されることを、あるいはすべての図示の動作が実行されることを必要とするものとして理解されるべきでない。さらに、図面は、流れ図の形態でもう１つの例示的なプロセスを概略的に示し得る。ただし、図示されていない他の動作が、概略的に示される例示的なプロセスに組み込まれ得る。たとえば、１つまたは複数の追加の動作が、図示の動作のうちのいずれかの前に、後に、同時に、またはそれの間で、実行され得る。いくつかの状況では、マルチタスキングおよび並列処理が有利であり得る。その上、上記で説明した実施態様における様々なシステム構成要素の分離は、すべての実施態様においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。さらに、他の実施態様が以下の特許請求の範囲内に入る。場合によっては、特許請求の範囲に記載の行為は、異なる順序で実行され、依然として望ましい結果を達成することができる。
【図１】
2014512567.tif 000004
【図２】
2014512567.tif 000005
【図３】
2014512567.tif 000006
【図４】
2014512567.tif 000007
【図５Ａ】
2014512567.tif 000008
【図５Ｂ】
2014512567.tif 000009
【図６Ａ】
2014512567.tif 000010
【図６Ｂ】
2014512567.tif 000011
【図６Ｃ】
2014512567.tif 000012
【図６Ｄ】
2014512567.tif 000013
【図６Ｅ】
2014512567.tif 000014
【図７】
2014512567.tif 000015
【図８Ａ】
2014512567.tif 000016
【図８Ｂ】
2014512567.tif 000017
【図８Ｃ】
2014512567.tif 000018
【図８Ｄ】
2014512567.tif 000019
【図８Ｅ】
2014512567.tif 000020
【図９Ａ】
2014512567.tif 000021
【図９Ｂ】
2014512567.tif 000022
【図９Ｃ】
2014512567.tif 000023
【図９Ｄ】
2014512567.tif 000024
【図９Ｅ】
2014512567.tif 000025
【図９Ｆ】
2014512567.tif 000026
【図９Ｇ】
2014512567.tif 000027
【図９Ｈ】
2014512567.tif 000028
【図９Ｉ】
2014512567.tif 000029
【図１０】
2014512567.tif 000030
【図１１】
2014512567.tif 000031
【図１２】
2014512567.tif 000032
【図１３】
2014512567.tif 000033
【図１４Ａ】
2014512567.tif 000034
【図１４Ｂ】
2014512567.tif 000035
【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
ディスプレイデバイスであって、
光を出力するように構成された第１のディスプレイ要素と、
光を出力するように構成された第２のディスプレイ要素と、
光を出力するように構成された第３のディスプレイ要素と、
前記第１、第２、および第３のディスプレイ要素を駆動するように構成された電子回路と、
前記電子回路と通信するユーザインターフェースと
を備え、
前記第１、第２、および第３のディスプレイ要素の各々が、前記ディスプレイ要素が入射光を反射するように、反射面が部分反射面からある距離をおいて配置される、オン状態を有し、各距離がバイアス電圧に依存し、
前記第１、第２、および第３のディスプレイ要素のための前記バイアス電圧の各々が、前記オン状態において非ゼロであり、前記ディスプレイデバイスの白色点を制御するために調節可能であり、前記電子回路が、前記各非ゼロバイアス電圧を供給するために、前記ディスプレイ要素に電気的に接続され、前記電子回路は、前記ユーザインターフェースからの出力に基づいて第１、第２、第３のディスプレイ要素のバイアス電圧を調節することによって白色点を調節するよう構成され、前記電子回路は、前記第１、第２、第３のディスプレイ要素のためのバイアス電圧間の固定された関係を使用して白色点を調節するように構成され、前記固定された関係は、第１のディスプレイ要素のためのバイアス電圧における第１の変化量毎に、第２のディスプレイ要素のためのバイアス電圧は、第１の変化量に比例する第２の量で変化し、第３のディスプレイ要素のためのバイアス電圧は、第１の変化量に比例する第３の量で変化することを含む、ディスプレイデバイス。
【請求項２】
前記第１、第２、および第３のディスプレイ要素が干渉変調器を含む、請求項１に記載のディスプレイデバイス。
【請求項３】
前記電子回路が、前記バイアス電圧を確定するために、前記白色点と前記バイアス電圧とを相関させる情報を記憶するデータベースにアクセスするように構成される、請求項１に記載のディスプレイデバイス。
【請求項４】
前記電子回路が、前記バイアス電圧を確定するために、前記白色点と前記バイアス電圧とを相関させる公式を使用するように構成される、請求項１に記載のディスプレイデバイス。
【請求項５】
前記反射面と前記部分反射面との間の前記距離を調節することによって、前記ディスプレイ要素の前記反射面と前記部分反射面とによって定義された光共振キャビティの少なくとも１つの共振波長を調整することによって、前記白色点が調節される、請求項１に記載のディスプレイデバイス。
【請求項６】
前記第１のディスプレイ要素が、赤色ディスプレイ要素が前記オン状態であるとき、赤色光を出力するように構成された前記赤色ディスプレイ要素を含み、前記第２のディスプレイ要素が、緑色ディスプレイ要素が前記オン状態であるとき、緑色光を出力するように構成された前記緑色ディスプレイ要素を含み、前記第３のディスプレイ要素が、青色ディスプレイ要素が前記オン状態であるとき、青色光を出力するように構成された前記青色ディスプレイ要素を含む、請求項１に記載のディスプレイデバイス。
【請求項７】
前記第１、第２、および第３のディスプレイ要素が、前記ディスプレイ要素が前記オン状態であるとき、白色光を出力するように構成された白色ディスプレイ要素をそれぞれ含む、請求項１に記載のディスプレイデバイス。
【請求項８】
少なくとも１つのディスプレイ要素と通信するように構成されるプロセッサであり、画像データを処理するように構成されるプロセッサと、
前記プロセッサと通信するように構成されるメモリデバイスと
をさらに備える、請求項１に記載のディスプレイデバイス。
【請求項９】
前記少なくとも１つのディスプレイ要素に少なくとも１つの信号を送るように構成されたドライバ回路と、
前記ドライバ回路に前記画像データの少なくとも一部分を送るように構成されたコントローラと
をさらに備える、請求項８に記載のディスプレイデバイス。
【請求項１０】
前記プロセッサに前記画像データを送るように構成された画像ソースモジュール
をさらに備える、請求項８に記載のディスプレイデバイス。
【請求項１１】
前記画像ソースモジュールが、受信機、トランシーバ、および送信機のうちの少なくとも１つを含む、請求項１０に記載のディスプレイデバイス。
【請求項１２】
入力データを受信することと、前記プロセッサに前記入力データを通信することとを行うように構成された入力デバイス
をさらに備える、請求項８に記載のディスプレイデバイス。
【請求項１３】
ディスプレイデバイスであって、
光を出力するための第１の手段と、
光を出力するための第２の手段と、
光を出力するための第３の手段と、
前記第１、第２、および第３の光出力手段を駆動するための手段と
を備え、
前記第１、第２、および第３の光出力手段の各々が、前記光出力手段が入射光を反射するように、光を反射するための手段が光を部分反射するための手段からある距離をおいて配置される、オン状態を有し、各距離がバイアス電圧に依存し、
前記第１、第２、および第３の光出力手段のための前記バイアス電圧の各々が、前記オン状態において非ゼロであり、前記ディスプレイデバイスの白色点を制御するために調節可能であり、前記駆動手段が、前記各非ゼロバイアス電圧を供給するために、前記第１、第２、および第３の光出力手段に電気的に接続され、
前記駆動するための手段は、前記第１、第２、第３のディスプレイ要素のためのバイアス電圧間の固定された関係を使用して白色点を調節するように構成され、前記固定された関係は、第１のディスプレイ要素のためのバイアス電圧における第１の変化量毎に、第２のディスプレイ要素のためのバイアス電圧は、第１の変化量に比例する第２の量で変化し、第３のディスプレイ要素のためのバイアス電圧は、第１の変化量に比例する第３の量で変化することを含む、ディスプレイデバイス。
【請求項１４】
前記第１、第２、および第３の光出力手段が、第１、第２、および第３の干渉変調器をそれぞれ含み、前記駆動手段が電子回路を含み、前記光反射手段が反射面を含むか、または前記部分光反射手段が部分反射面を含む、請求項１３に記載のディスプレイデバイス。
【請求項１５】
前記第１の光出力手段が、赤色光を出力するように構成された赤色干渉変調器を含み、前記第２の光出力手段が、緑色光を出力するように構成された緑色干渉変調器を含み、前記第３の光出力手段が、青色光を出力するように構成された青色干渉変調器を含む、請求項１３に記載のディスプレイデバイス。
【請求項１６】
前記第１、第２、および第３の光出力手段が、白色干渉変調器を含む、請求項１３に記載のディスプレイデバイス。
【請求項１７】
前記駆動手段が、前記白色点と前記バイアス電圧との間の相関に基づいて、前記バイアス電圧を確定するように構成される、請求項１３に記載のディスプレイデバイス。
【請求項１８】
前記駆動手段が、前記白色点と前記バイアス電圧との間の相関に基づいて、前記バイアス電圧を確定するために、データベースにアクセスするように構成される、請求項１７に記載のディスプレイデバイス。
【請求項１９】
前記駆動手段が、前記白色点と前記バイアス電圧との間の相関に基づいて、前記バイアス電圧を確定するために、公式にアクセスするように構成される、請求項１７に記載のディスプレイデバイス。
【請求項２０】
前記駆動手段が、コンピュータ可読記憶媒体と通信しているプロセッサを含む、請求項１７に記載のディスプレイデバイス。
【請求項２１】
白色点の選択を受信するための手段をさらに含む、請求項１３に記載のディスプレイデバイス。
【請求項２２】
前記受信手段がユーザインターフェースを含む、請求項２１に記載のディスプレイデバイス。
【請求項２３】
ディスプレイデバイスの白色点を設定するための方法であって、
それぞれのディスプレイ要素が入射光を反射するように、前記それぞれのディスプレイ要素の反射面が部分反射面からある距離をおいて配置される、オン状態を各々が有する、第１、第２、および第３のディスプレイ要素を含む、前記ディスプレイデバイスのための白色点を選択することであり、各距離が、バイアス電圧に依存し、前記バイアス電圧の各々が、前記オン状態において非ゼロであり、前記ディスプレイデバイスの白色点を制御するために調節可能であることと、
前記第１、第２、および第３のディスプレイ要素に電気的に接続された電子回路を使用して、前記各非ゼロバイアス電圧を設定することと
を備え、
前記電子回路は、前記ユーザインターフェースからの出力に基づいて第１、第２、第３のディスプレイ要素のバイアス電圧を調節することによって白色点を調節するよう構成され、前記電子回路は、前記第１、第２、第３のディスプレイ要素のためのバイアス電圧間の固定された関係を使用して白色点を調節するように構成され、前記固定された関係は、第１のディスプレイ要素のためのバイアス電圧における第１の変化量毎に、第２のディスプレイ要素のためのバイアス電圧は、第１の変化量に比例する第２の量で変化し、第３のディスプレイ要素のためのバイアス電圧は、第１の変化量に比例する第３の量で変化することを含む、方法。
【請求項２４】
前記第１、第２、および第３のディスプレイ要素が、赤色、緑色、および青色干渉変調器をそれぞれ含む、請求項２３に記載の方法。
【請求項２５】
電子回路を使用することが、
白色点を前記バイアス電圧と相関させる情報を記憶するデータベースにアクセスすることと、
前記データベースを使用して、前記第１、第２、および第３のディスプレイ要素のための前記対応するバイアス電圧を決定することと
を含む、請求項２３に記載の方法。
【請求項２６】
電子回路を使用することが、
白色点をバイアス電圧と相関させる公式にアクセスすることと、
前記公式を使用して、前記第１、第２、および第３のディスプレイ要素のための前記対応するバイアス電圧を決定することと
を含む、請求項２３に記載の方法。
【請求項２７】
前記白色点を選択しながら、前記ディスプレイデバイスによって表示された画像を静的状態において保持することをさらに備える、請求項２３に記載の方法。
【請求項２８】
コンピューティングシステムによって実行されたとき、前記コンピューティングシステムに動作を実行させる命令を記憶した、非一時的な有形のコンピュータ記憶媒体であって、前記動作が、
ディスプレイデバイスのための白色点の選択を受信することと、
白色点を前記ディスプレイデバイスの第１、第２、および第３のディスプレイ要素のためのバイアス電圧と相関させる情報にアクセスすることと、
前記第１、第２、第３のディスプレイ要素のためのバイアス電圧間の固定された関係を使用して前記選択された白色点のための前記対応するバイアス電圧を決定するために前記情報を使用することと
を備え、
前記固定された関係は、第１のディスプレイ要素のためのバイアス電圧における第１の変化量毎に、第２のディスプレイ要素のためのバイアス電圧は、第１の変化量に比例する第２の量で変化し、第３のディスプレイ要素のためのバイアス電圧は、第１の変化量に比例する第３の量で変化することを含む、非一時的な有形のコンピュータ記憶媒体。
【請求項２９】
前記白色点の前記選択を受信することが、ユーザインターフェースを介して前記選択を受信することを含む、請求項２８に記載の非一時的な有形のコンピュータ記憶媒体。
【請求項３０】
情報にアクセスすることが、白色点をバイアス電圧と相関させる前記情報を記憶するデータベースにアクセスすることを含む、請求項２８に記載の非一時的な有形のコンピュータ記憶媒体。
【請求項３１】
情報にアクセスすることが、白色点をバイアス電圧と相関させる公式にアクセスすることを含む、請求項２８に記載の非一時的な有形のコンピュータ記憶媒体。
【請求項３２】
前記公式が、前記第１、第２、および第３のディスプレイ要素のための前記バイアス電圧間の固定の関係を含む、請求項３１に記載の非一時的な有形のコンピュータ記憶媒体。
【手続補正２】
【補正対象書類名】明細書
【補正対象項目名】０１１２
【補正方法】変更
【補正の内容】
【０１１２】
同様に、動作は特定の順序で図面に示されているが、これは、望ましい結果を達成するために、そのような動作が、示される特定の順序でまたは順番に実行されることを、あるいはすべての図示の動作が実行されることを必要とするものとして理解されるべきでない。さらに、図面は、流れ図の形態でもう１つの例示的なプロセスを概略的に示し得る。ただし、図示されていない他の動作が、概略的に示される例示的なプロセスに組み込まれ得る。たとえば、１つまたは複数の追加の動作が、図示の動作のうちのいずれかの前に、後に、同時に、またはそれの間で、実行され得る。いくつかの状況では、マルチタスキングおよび並列処理が有利であり得る。その上、上記で説明した実施態様における様々なシステム構成要素の分離は、すべての実施態様においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。さらに、他の実施態様が以下の特許請求の範囲内に入る。場合によっては、特許請求の範囲に記載の行為は、異なる順序で実行され、依然として望ましい結果を達成することができる。
以下に本件出願当初の特許請求の範囲に記載された発明を付記する。
［１］ディスプレイデバイスであって、
光を出力するように構成された第１のディスプレイ要素と、
光を出力するように構成された第２のディスプレイ要素と、
光を出力するように構成された第３のディスプレイ要素と、
前記第１、第２、および第３のディスプレイ要素を駆動するように構成された電子回路と
を備え、
前記第１、第２、および第３のディスプレイ要素の各々が、前記ディスプレイ要素が入射光を反射するように、反射面が部分反射面からある距離をおいて配置される、オン状態を有し、各距離がバイアス電圧に依存し、
前記第１、第２、および第３のディスプレイ要素のための前記バイアス電圧のうちの少なくとも１つが、前記オン状態において非ゼロであり、前記ディスプレイデバイスの白色点を制御するために調節可能であり、前記電子回路が、前記少なくとも１つの非ゼロバイアス電圧を供給するために、前記ディスプレイ要素に電気的に接続される、ディスプレイデバイス。
［２］前記第１、第２、および第３のディスプレイ要素が干渉変調器を含む、［１］に記載のディスプレイデバイス。
［３］前記第１、第２、および第３のディスプレイ要素のための前記バイアス電圧のうちの少なくとも２つが、前記オン状態において非ゼロであり、前記少なくとも２つのバイアス電圧のうちの１つまたは複数が、前記ディスプレイデバイスの前記白色点を制御するために調節可能である、［１］に記載のディスプレイデバイス。
［４］前記第１、第２、および第３のディスプレイ要素のための前記バイアス電圧が、前記オン状態において非ゼロであり、前記バイアス電圧のうちの１つまたは複数が、前記ディスプレイデバイスの前記白色点を制御するために調節可能である、［１］に記載のディスプレイデバイス。
［５］前記第１、第２、および第３のディスプレイ要素のための前記バイアス電圧が、前記ディスプレイデバイスの前記白色点を制御するために調節可能である、［４］に記載のディスプレイデバイス。
［６］前記電子回路が、前記バイアス電圧を確定するために、前記白色点と前記バイアス電圧とを相関させる情報を記憶するデータベースにアクセスするように構成される、［１］に記載のディスプレイデバイス。
［７］前記電子回路が、前記バイアス電圧を確定するために、前記白色点と前記バイアス電圧とを相関させる公式を使用するように構成される、［１］に記載のディスプレイデバイス。
［８］前記ディスプレイデバイスが、前記電子回路と通信しているユーザインターフェースをさらに備え、前記電子回路が、前記ユーザインターフェースからの入力に基づいて、前記第１、第２、および第３のディスプレイ要素のための前記バイアス電圧を調節することによって、前記白色点を調節するように構成される、［４］に記載のディスプレイデバイス。
［９］前記電子回路が、前記第１、第２、および第３のディスプレイ要素のための前記バイアス電圧間の固定の関係を使用して、前記白色点を調節するように構成される、［８］に記載のディスプレイデバイス。
［１０］前記反射面と前記部分反射面との間の前記距離を調節することによって、前記ディスプレイ要素の前記反射面と前記部分反射面とによって定義された光共振キャビティの少なくとも１つの共振波長を調整することによって、前記白色点が調節される、［１］に記載のディスプレイデバイス。
［１１］前記第１のディスプレイ要素が、赤色ディスプレイ要素が前記オン状態であるとき、赤色光を出力するように構成された前記赤色ディスプレイ要素を含み、前記第２のディスプレイ要素が、緑色ディスプレイ要素が前記オン状態であるとき、緑色光を出力するように構成された前記緑色ディスプレイ要素を含み、前記第３のディスプレイ要素が、青色ディスプレイ要素が前記オン状態であるとき、青色光を出力するように構成された前記青色ディスプレイ要素を含む、［１］に記載のディスプレイデバイス。
［１２］前記第１、第２、および第３のディスプレイ要素が、前記ディスプレイ要素が前記オン状態であるとき、白色光を出力するように構成された白色ディスプレイ要素をそれぞれ含む、［１］に記載のディスプレイデバイス。
［１３］少なくとも１つのディスプレイ要素と通信するように構成されるプロセッサであり、画像データを処理するように構成されるプロセッサと、
前記プロセッサと通信するように構成されるメモリデバイスと
をさらに備える、［１］に記載のディスプレイデバイス。
［１４］前記少なくとも１つのディスプレイ要素に少なくとも１つの信号を送るように構成されたドライバ回路と、
前記ドライバ回路に前記画像データの少なくとも一部分を送るように構成されたコントローラと
をさらに備える、［１３］に記載のディスプレイデバイス。
［１５］前記プロセッサに前記画像データを送るように構成された画像ソースモジュール
をさらに備える、［１３］に記載のディスプレイデバイス。
［１６］前記画像ソースモジュールが、受信機、トランシーバ、および送信機のうちの少なくとも１つを含む、［１５］に記載のディスプレイデバイス。
［１７］入力データを受信することと、前記プロセッサに前記入力データを通信することとを行うように構成された入力デバイス
をさらに備える、［１３］に記載のディスプレイデバイス。
［１８］ディスプレイデバイスであって、
光を出力するための第１の手段と、
光を出力するための第２の手段と、
光を出力するための第３の手段と、
前記第１、第２、および第３の光出力手段を駆動するための手段と
を備え、
前記第１、第２、および第３の光出力手段の各々が、前記光出力手段が入射光を反射するように、光を反射するための手段が光を部分反射するための手段からある距離をおいて配置される、オン状態を有し、各距離がバイアス電圧に依存し、
前記第１、第２、および第３の光出力手段のための前記バイアス電圧のうちの少なくとも１つが、前記オン状態において非ゼロであり、前記ディスプレイデバイスの白色点を制御するために調節可能であり、前記駆動手段が、前記少なくとも１つの非ゼロバイアス電圧を供給するために、前記第１、第２、および第３の光出力手段に電気的に接続される、ディスプレイデバイス。
［１９］前記第１、第２、および第３の光出力手段が、第１、第２、および第３の干渉変調器をそれぞれ含み、前記駆動手段が電子回路を含み、前記光反射手段が反射面を含むか、または前記部分光反射手段が部分反射面を含む、［１８］に記載のディスプレイデバイス。
［２０］前記第１の光出力手段が、赤色光を出力するように構成された赤色干渉変調器を含み、前記第２の光出力手段が、緑色光を出力するように構成された緑色干渉変調器を含み、前記第３の光出力手段が、青色光を出力するように構成された青色干渉変調器を含む、［１８］に記載のディスプレイデバイス。
［２１］前記第１、第２、および第３の光出力手段が、白色干渉変調器を含む、［１８］に記載のディスプレイデバイス。
［２２］前記第１、第２、および第３の光出力手段のための前記バイアス電圧のうちの少なくとも２つが、前記オン状態において非ゼロであり、前記少なくとも２つのバイアス電圧のうちの１つまたは複数が、前記ディスプレイデバイスの前記白色点を制御するために調節可能である、［１８］に記載のディスプレイデバイス。
［２３］前記第１、第２、および第３の光出力手段のための前記バイアス電圧が、前記オン状態において非ゼロであり、前記バイアス電圧のうちの１つまたは複数が、前記ディスプレイデバイスの前記白色点を制御するために調節可能である、［１８］に記載のディスプレイデバイス。
［２４］前記第１、第２、および第３の光出力手段のための前記バイアス電圧が、前記ディスプレイデバイスの前記白色点を制御するために調節可能である、［２３］に記載のディスプレイデバイス。
［２５］前記駆動手段が、前記白色点と前記バイアス電圧との間の相関に基づいて、前記バイアス電圧を確定するように構成される、［１８］に記載のディスプレイデバイス。
［２６］前記駆動手段が、前記白色点と前記バイアス電圧との間の相関に基づいて、前記バイアス電圧を確定するために、データベースにアクセスするように構成される、［２５］に記載のディスプレイデバイス。
［２７］前記駆動手段が、前記白色点と前記バイアス電圧との間の相関に基づいて、前記バイアス電圧を確定するために、公式にアクセスするように構成される、［２５］に記載のディスプレイデバイス。
［２８］前記駆動手段が、コンピュータ可読記憶媒体と通信しているプロセッサを含む、［２５］に記載のディスプレイデバイス。
［２９］白色点の選択を受信するための手段をさらに含む、［１８］に記載のディスプレイデバイス。
［３０］前記受信手段がユーザインターフェースを含む、［２９］に記載のディスプレイデバイス。
［３１］ディスプレイデバイスの白色点を設定するための方法であって、
それぞれのディスプレイ要素が入射光を反射するように、前記それぞれのディスプレイ要素の反射面が部分反射面からある距離をおいて配置される、オン状態を各々が有する、第１、第２、および第３のディスプレイ要素を含む、前記ディスプレイデバイスのための白色点を選択することであり、各距離が、バイアス電圧に依存し、前記バイアス電圧のうちの少なくとも１つが、前記オン状態において非ゼロであり、前記ディスプレイデバイスの白色点を制御するために調節可能であることと、
前記第１、第２、および第３のディスプレイ要素に電気的に接続された電子回路を使用して、前記少なくとも１つの非ゼロバイアス電圧を設定することと
を備える方法。
［３２］前記第１、第２、および第３のディスプレイ要素が、赤色、緑色、および青色干渉変調器をそれぞれ含む、［３１］に記載の方法。
［３３］電子回路を使用することが、
白色点を前記バイアス電圧と相関させる情報を記憶するデータベースにアクセスすることと、
前記データベースを使用して、前記第１、第２、および第３のディスプレイ要素のための前記対応するバイアス電圧を決定することと
を含む、［３１］に記載の方法。
［３４］電子回路を使用することが、
白色点をバイアス電圧と相関させる公式にアクセスすることと、
前記公式を使用して、前記第１、第２、および第３のディスプレイ要素のための前記対応するバイアス電圧を決定することと
を含む、［３１］に記載の方法。
［３５］前記白色点を選択しながら、前記ディスプレイデバイスによって表示された画像を静的状態において保持することをさらに備える、［３１］に記載の方法。
［３６］コンピューティングシステムによって実行されたとき、前記コンピューティングシステムに動作を実行させる命令を記憶した、非一時的な有形のコンピュータ記憶媒体であって、前記動作が、
ディスプレイデバイスのための白色点の選択を受信することと、
白色点を前記ディスプレイデバイスの第１、第２、および第３のディスプレイ要素のためのバイアス電圧と相関させる情報にアクセスすることと、
前記選択された白色点のための前記対応するバイアス電圧を決定するために前記情報を使用することと
を備える、非一時的な有形のコンピュータ記憶媒体。
［３７］前記白色点の前記選択を受信することが、ユーザインターフェースを介して前記選択を受信することを含む、［３６］に記載の非一時的な有形のコンピュータ記憶媒体。
［３８］情報にアクセスすることが、白色点をバイアス電圧と相関させる前記情報を記憶するデータベースにアクセスすることを含む、［３６］に記載の非一時的な有形のコンピュータ記憶媒体。
［３９］情報にアクセスすることが、白色点をバイアス電圧と相関させる公式にアクセスすることを含む、［３６］に記載の非一時的な有形のコンピュータ記憶媒体。
［４０］前記公式が、前記第１、第２、および第３のディスプレイ要素のための前記バイアス電圧間の固定の関係を含む、［３９］に記載の非一時的な有形のコンピュータ記憶媒体。
【手続補正書】
【提出日】平成25年11月18日(2013.11.18)
【手続補正１】
【補正対象書類名】明細書
【補正対象項目名】００１４
【補正方法】変更
【補正の内容】
【００１４】
本開示で説明する別の発明的態様は、非一時的な有形のコンピュータ記憶媒体において実施され得る。この媒体は、コンピューティングシステムによって実行されたとき、コンピュータシステムに動作を実行させることができる、その上に記憶された命令を有し得る。それらの動作は、ディスプレイデバイスのための白色点の選択を受信することと、白色点をディスプレイデバイスの第１、第２、および第３のディスプレイ要素のためのバイアス電圧と相関させる情報にアクセスすることと、その情報を使用して、選択された白色点のための対応するバイアス電圧を決定することとを含み得る。白色点の選択を受信することは、ユーザインターフェースを介して選択を受信することを含み得る。いくつかの実施態様では、情報にアクセスすることは、白色点をバイアス電圧と相関させる情報を記憶するデータベースにアクセスすることを含み得る。いくつかの他の実施態様では、情報にアクセスすることは、白色点をバイアス電圧と相関させる公式にアクセスすることを含み得る。公式は、第１、第２、および第３のディスプレイ要素のためのバイアス電圧間の固定の関係を含み得る。
【手続補正２】
【補正対象書類名】明細書
【補正対象項目名】００２４
【補正方法】変更
【補正の内容】
【００２４】
ＩＭＯＤディスプレイデバイスは、ＩＭＯＤの行／列アレイを含むことができる。各ＩＭＯＤは、（光ギャップまたはキャビティとも呼ばれる）エアギャップを形成するように互いから可変で制御可能な距離をおいて配置された反射層のペア、すなわち、可動反射層と固定部分反射層とを含むことができる。可動反射層は、少なくとも２つの位置の間で移動され得る。第１の位置、すなわち、緩和位置では、可動反射層は、固定部分反射層から比較的大きい距離をおいて配置され得る。第２の位置、すなわち、作動位置では、可動反射層は、部分反射層により近接して配置され得る。それら２つの層から反射する入射光は、可動反射層の位置に応じて、強め合うようにまたは弱め合うように干渉し、各ピクセルについて全反射状態または無反射状態のいずれかを引き起こすことがある。いくつかの実施態様では、ＩＭＯＤは、作動していないときに反射状態にあり、可視スペクトル内の光を反射し得、また、作動しているときに暗状態にあり、可視範囲外の光（たとえば、赤外光）を反射し得る。ただし、いくつかの他の実施態様では、ＩＭＯＤは、作動していないときに暗状態にあり、作動しているときに反射状態にあり得る。いくつかの実施態様では、印加電圧の導入が、状態を変更するようにピクセルを駆動することができる。いくつかの他の実施態様では、印加電荷が、状態を変更するようにピクセルを駆動することができる。
【国際調査報告】
2014512567.tif 000036
2014512567.tif 000037
2014512567.tif 000038
2014512567.tif 000039